(57)【要約】  本発明は、基準信号の伝送方法、ネットワーク設備及び端末設備を開示する。該方法は、ネットワーク設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、前記ネットワーク設備が、前記ターゲットリソースで前記基準信号を端末設備に送信することを含む。本発明の実施例における基準信号の伝送方法、ネットワーク設備及び端末設備は、ネットワーク設備の省エネルギーを実現するとともに、セル間の干渉を回避することができる。
2019522403.tif 000002
【特許請求の範囲】
【請求項１】
基準信号の伝送方法であって、
ネットワーク設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記ネットワーク設備が、前記ターゲットリソースで前記基準信号を端末設備に送信することを含む、基準信号の伝送方法。
【請求項２】
前記ネットワーク設備が、前記基準信号を伝送するためのターゲットリソースを確定することは、
前記ネットワーク設備が、セル識別子またはビーム識別子を含む基準識別子を確定することと、
前記ネットワーク設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含むことを特徴とする
請求項１に記載の方法。
【請求項３】
前記基準識別子と前記リソース識別子との間の対応関係は、
2019522403.tif 000311
を含み、ここで、前記
2019522403.tif 000312
は、前記リソース識別子を示し、前記
2019522403.tif 000313
は、前記セル識別子を示し、前記
2019522403.tif 000314
は、前記ビーム識別子を示し、前記
2019522403.tif 000315
は、最大リソース識別子数を示すことを特徴とする
請求項２に記載の方法。
【請求項４】
前記方法は、
前記ネットワーク設備が、前記ターゲットリソースを指示するためのリソース指示情報を含む指示情報を前記端末設備に送信することをさらに含むことを特徴とする
請求項１に記載の方法。
【請求項５】
前記方法は、
前記ネットワーク設備が、リソース識別子を指示するための識別子指示情報を含む指示情報を前記端末設備に送信し、前記リソース識別子と前記ターゲットリソースとは１対１で対応することをさらに含むことを特徴とする
請求項１に記載の方法。
【請求項６】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項５に記載の方法。
【請求項７】
前記リソース識別子が時間領域リソース識別子を含む場合、前記ネットワーク設備が、前記基準信号を伝送するためのターゲットリソースを確定することは、
前記ネットワーク設備が、
2019522403.tif 000316
という対応関係のいずれか１つに基づいて、前記基準信号を伝送するための前記周波数領域リソースを確定すること、及び/または
前記ネットワーク設備が、
2019522403.tif 000317
という対応関係のいずれか１つに基づいて、前記基準信号を伝送するための前記空間領域リソースを確定することを含み、
ここで、前記
2019522403.tif 000318
は、前記時間領域リソースの時間領域リソース周期内のリソース番号を示し、前記
2019522403.tif 000319
は、前記時間領域リソース周期の番号を示し、前記
2019522403.tif 000320
は、前記時間領域リソースの前記時間領域リソース内周期内の対応する時間帯または時点を示し、前記
2019522403.tif 000321
は、前記時間領域リソース識別子を示し、前記
2019522403.tif 000322
は、周波数領域リソース識別子を示し、前記
2019522403.tif 000323
は、空間領域リソース識別子を示し、前記
2019522403.tif 000324
は、最大周波数領域リソース識別子数を示し、前記
2019522403.tif 000325
は、最大空間領域リソース識別子数を示すことを特徴とする
請求項５または６に記載の方法。
【請求項８】
前記リソース識別子が周波数領域リソース識別子を含む場合、前記ネットワーク設備が、前記基準信号を伝送するためのターゲットリソースを確定することは、
前記ネットワーク設備が、
2019522403.tif 000326
に基づいて、前記基準信号を伝送するための前記時間領域リソースを確定すること、及び/または
前記ネットワーク設備が、
2019522403.tif 000327
に基づいて、前記基準信号を伝送するための前記空間領域リソースを確定することを含み、
ここで、前記
2019522403.tif 000328
は、時間領域リソース識別子を示し、前記
2019522403.tif 000329
は、最大時間領域リソース識別子数を示し、前記
2019522403.tif 000330
は、前記周波数領域リソース識別子を示し、前記
2019522403.tif 000331
は、最大空間領域リソース識別子数を示し、前記
2019522403.tif 000332
は、空間領域リソース識別子を示すことを特徴とする
請求項５または６に記載の方法。
【請求項９】
前記リソース識別子が空間領域リソース識別子を含む場合、前記ネットワーク設備が、前記基準信号を伝送するためのターゲットリソースを確定することは、
前記ネットワーク設備が、
2019522403.tif 000333
に基づいて、前記基準信号を伝送するための前記時間領域リソースを確定すること、及び/または
前記ネットワーク設備が、
2019522403.tif 000334
に基づいて、前記基準信号を伝送するための前記周波数領域リソースを確定することを含み、
ここで、前記
2019522403.tif 000335
は、時間領域リソース識別子を示し、前記
2019522403.tif 000336
は、最大時間領域リソース識別子数を示し、前記
2019522403.tif 000337
は、周波数領域リソース識別子を示し、前記
2019522403.tif 000338
は、最大周波数領域リソース識別子数を示し、前記
2019522403.tif 000339
は、前記空間領域リソース識別子を示すことを特徴とする
請求項５または６に記載の方法。
【請求項１０】
前記ネットワーク設備が、指示情報を前記端末設備に送信することは、
前記ネットワーク設備が、上位層シグナリング、物理層シグナリングまたは媒体アクセス制御（ＭＡＣ）層の通知にベアリングされる指示メッセージを前記端末設備に送信することを含む、ことを特徴とする
請求項４乃至９のいずれか１項に記載の方法。
【請求項１１】
前記方法は、
前記ターゲットリソースが変更された場合、前記ネットワーク設備が、変更後の前記ターゲットリソースの情報または前記ターゲットリソースが変更されたことを指示するための指示メッセージを含むページングメッセージを前記端末設備に送信することを、さらに含むことを特徴とする
請求項１乃至１０のいずれか１項に記載の方法。
【請求項１２】
基準信号の伝送方法であって、
端末設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記端末設備が、前記ターゲットリソースでネットワーク設備からの前記基準信号を受信することを含む、基準信号の伝送方法。
【請求項１３】
前記端末設備が、前記基準信号を伝送するためのターゲットリソースを確定することは、
前記端末設備が、セル識別子またはビーム識別子を含む基準識別子を確定することと、
前記端末設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含むことを特徴とする
請求項１２に記載の方法。
【請求項１４】
前記基準識別子と前記リソース識別子との間の対応関係は、
2019522403.tif 000340
を含み、ここで、前記
2019522403.tif 000341
は、前記リソース識別子を示し、前記
2019522403.tif 000342
は、前記セル識別子を示し、前記
2019522403.tif 000343
は、前記ビーム識別子を示し、前記
2019522403.tif 000344
は、最大リソース識別子数を示すことを特徴とする
請求項１３に記載の方法。
【請求項１５】
前記端末設備が、前記基準信号を伝送するためのターゲットリソースを確定することは、
前記端末設備が、前記ネットワーク設備からの、前記ターゲットリソースを指示するためのリソース指示情報を含む指示情報を受信することを含むことを特徴とする
請求項１２に記載の方法。
【請求項１６】
前記端末設備が、前記基準信号を伝送するためのターゲットリソースを確定することは、
前記端末設備が、前記ネットワーク設備からの、リソース識別子を指示するための識別子指示情報を含む指示情報を受信することと、
前記端末設備が、前記識別子指示情報に基づいて、前記リソース識別子と１対１で対応する前記ターゲットリソースを確定することを含むことを特徴とする
請求項１２に記載の方法。
【請求項１７】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項１６に記載の方法。
【請求項１８】
前記リソース識別子が時間領域リソース識別子を含む場合、前記端末設備が、前記基準信号を伝送するためのターゲットリソースを確定することは、
前記端末設備が、
2019522403.tif 000345
という対応関係のいずれか１つに基づいて、前記基準信号を伝送するための前記周波数領域リソースを確定すること、及び/または
前記端末設備が、
2019522403.tif 000346
という対応関係のいずれか１つに基づいて、前記基準信号を伝送するための前記空間領域リソースを確定することを含み、
ここで、前記
2019522403.tif 000347
は、前記時間領域リソースの時間領域リソース周期内のリソース番号を示し、前記
2019522403.tif 000348
は、前記時間領域リソース周期の番号を示し、前記
2019522403.tif 000349
は、前記時間領域リソースの前記時間領域リソース周期内の対応する時間帯または時点を示し、前記
2019522403.tif 000350
は、前記時間領域リソース識別子を示し、前記
2019522403.tif 000351
は、周波数領域リソース識別子を示し、前記
2019522403.tif 000352
は、空間領域リソース識別子を示し、前記
2019522403.tif 000353
は、最大周波数領域リソース識別子数を示し、前記
2019522403.tif 000354
は、最大空間領域リソース識別子数を示すことを特徴とする
請求項１６または１７に記載の方法。
【請求項１９】
前記リソース識別子が周波数領域リソース識別子を含む場合、前記端末設備が、前記基準信号を伝送するためのターゲットリソースを確定することは、
前記端末設備が、
2019522403.tif 000355
に基づいて、前記基準信号を伝送するための前記時間領域リソースを確定すること、及び/または
前記端末設備が、
2019522403.tif 000356
に基づいて、前記基準信号を伝送するための前記空間領域リソースを確定することを含み、
ここで、前記
2019522403.tif 000357
は、時間領域リソース識別子を示し、前記
2019522403.tif 000358
は、最大時間領域リソース識別子数を示し、前記
2019522403.tif 000359
前記周波数領域リソース識別子を示し、前記
2019522403.tif 000360
は、最大空間領域リソース識別子数を示し、前記
2019522403.tif 000361
は、空間領域リソース識別子を示すことを特徴とする
請求項１６または１７に記載の方法。
【請求項２０】
前記リソース識別子が空間領域リソース識別子を含む場合、前記端末設備が、前記基準信号を伝送するためのターゲットリソースを確定することは、
前記端末設備が、
2019522403.tif 000362
に基づいて、前記基準信号を伝送するための前記時間領域リソースを確定すること、及び/または
前記端末設備が、
2019522403.tif 000363
に基づいて、前記基準信号を伝送するための前記周波数領域リソースを確定することを含み、
ここで、前記
2019522403.tif 000364
は、時間領域リソース識別子を示し、前記
2019522403.tif 000365
は、最大時間領域リソース識別子数を示し、前記
2019522403.tif 000366
は、周波数領域リソース識別子を示し、前記
2019522403.tif 000367
は、最大周波数領域リソース識別子数を示し、前記
2019522403.tif 000368
は、前記空間領域リソース識別子を示すことを特徴とする
請求項１６または１７に記載の方法。
【請求項２１】
前記端末設備が、前記ネットワーク設備からの指示情報を受信することは、
前記端末設備が、前記ネットワーク設備からの、上位層シグナリング、物理層シグナリングまたは媒体アクセス制御（ＭＡＣ）層の通知にベアリングされる指示メッセージを受信することを含む、ことを特徴とする
請求項１５乃至２０のいずれか１項に記載の方法。
【請求項２２】
前記方法は、
前記ターゲットリソースが変更された場合、前記端末設備が、前記ネットワーク設備からの、変更後の前記ターゲットリソースの情報または前記ターゲットリソースが変更されたことを指示するための指示メッセージを含むページングメッセージを受信することをさらに含むことを特徴とする
請求項１２乃至２１のいずれか１項に記載の方法。
【請求項２３】
ネットワーク設備であって、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含む確定モジュールと、
前記確定モジュールによって確定された前記ターゲットリソースで、前記基準信号を端末設備に送信するように構成される送信モジュールとを含む、ネットワーク設備。
【請求項２４】
前記確定モジュールは、具体的に、
セル識別子またはビーム識別子を含む基準識別子を確定し、
前記基準識別子、及び前記基準識別子とリソース識別子との間の対応関係に基づいて、前記基準信号を伝送するためのターゲットリソースを確定するように構成され、前記リソース識別子と前記ターゲットリソースとは１対１で対応することを特徴とする
請求項２３に記載のネットワーク設備。
【請求項２５】
前記基準識別子と前記リソース識別子との間の対応関係は、
2019522403.tif 000369
を含み、ここで、前記
2019522403.tif 000370
は、前記リソース識別子を示し、前記
2019522403.tif 000371
は、前記セル識別子を示し、前記
2019522403.tif 000372
は、前記ビーム識別子を示し、前記
2019522403.tif 000373
は、最大リソース識別子数を示すことを特徴とする
請求項２４に記載のネットワーク設備。
【請求項２６】
前記送信モジュールは、さらに、
前記ターゲットリソースを指示するためのリソース指示情報を含む指示情報を前記端末設備に送信するように構成されることを特徴とする
請求項２３に記載のネットワーク設備。
【請求項２７】
前記送信モジュールは、さらに、
リソース識別子を指示するための識別子指示情報を含む指示情報を前記端末設備に送信するように構成され、前記リソース識別子と前記ターゲットリソースとは１対１で対応することを特徴とする
請求項２３に記載のネットワーク設備。
【請求項２８】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項２７に記載のネットワーク設備。
【請求項２９】
前記リソース識別子が時間領域リソース識別子を含む場合、前記確定モジュールは、具体的に、
2019522403.tif 000374
という対応関係のいずれか１つに基づいて、前記基準信号を伝送するための前記周波数領域リソースを確定するし、及び/または
2019522403.tif 000375
という対応関係のいずれか１つに基づいて、前記基準信号を伝送するための前記空間領域リソースを確定するように構成され、
ここで、前記
2019522403.tif 000376
は、前記時間領域リソースの時間領域リソース周期内のリソース番号を示し、前記
2019522403.tif 000377
は、前記時間領域リソース周期の番号を示し、前記
2019522403.tif 000378
は、前記時間領域リソースの前記時間領域リソース周期内の対応する時間帯または時点を示し、前記
2019522403.tif 000379
は、前記時間領域リソース識別子を示し、前記
2019522403.tif 000380
は、周波数領域リソース識別子を示し、前記
2019522403.tif 000381
は、空間領域リソース識別子を示し、前記
2019522403.tif 000382
は、最大周波数領域リソース識別子数を示し、前記
2019522403.tif 000383
は、最大空間領域リソース識別子数を示すことを特徴とする
請求項２７または２８に記載のネットワーク設備。
【請求項３０】
前記リソース識別子が周波数領域リソース識別子を含む場合、前記確定モジュールは、具体的に、
2019522403.tif 000384
に基づいて、前記基準信号を伝送するための前記時間領域リソースを確定し、及び/または
2019522403.tif 000385
に基づいて、前記基準信号を伝送するための前記空間領域リソースを確定するように構成され、
ここで、前記
2019522403.tif 000386
は、時間領域リソース識別子を示し、前記
2019522403.tif 000387
は、最大時間領域リソース識別子数を示し、前記
2019522403.tif 000388
は、前記周波数領域リソース識別子を示し、前記
2019522403.tif 000389
は、最大空間領域リソース識別子数を示し、前記
2019522403.tif 000390
は、空間領域リソース識別子を示すことを特徴とする
請求項２７または２８に記載のネットワーク設備。
【請求項３１】
前記リソース識別子が空間領域リソース識別子を含む場合、前記確定モジュールは、具体的に、
2019522403.tif 000391
に基づいて、前記基準信号を伝送するための前記時間領域リソースを確定し、及び/または
2019522403.tif 000392
に基づいて、前記基準信号を伝送するための前記周波数領域リソースを確定するように構成され、
ここで、前記
2019522403.tif 000393
は、時間領域リソース識別子を示し、前記
2019522403.tif 000394
は、最大時間領域リソース識別子数を示し、前記
2019522403.tif 000395
は、周波数領域リソース識別子を示し、前記
2019522403.tif 000396
は、最大周波数領域リソース識別子数を示し、前記
2019522403.tif 000397
は、前記空間領域リソース識別子を示すことを特徴とする
請求項２７または２８に記載のネットワーク設備。
【請求項３２】
前記送信モジュールは、具体的に、
上位層シグナリング、物理層シグナリングまたは媒体アクセス制御（ＭＡＣ）層の通知にベアリングされる指示メッセージを前記端末設備に送信するように構成されることを特徴とする
請求項２６乃至３１のいずれか１項に記載のネットワーク設備。
【請求項３３】
前記送信モジュールは、さらに、
前記ターゲットリソースが変更された場合、変更後の前記ターゲットリソースの情報または前記ターゲットリソースが変更されたことを指示するための指示メッセージを含むページングメッセージを前記端末設備に送信するように構成されることを特徴とする
請求項２３乃至３２のいずれか１項に記載のネットワーク設備。
【請求項３４】
端末設備であって、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含む確定モジュールと、
前記確定モジュールによって確定された前記ターゲットリソースでネットワーク設備からの前記基準信号を受信するように構成される受信モジュールとを含む、端末設備。
【請求項３５】
前記確定モジュールは、具体的に、
セル識別子またはビーム識別子を含む基準識別子を確定し、
前記基準識別子、及び前記基準識別子とリソース識別子との間の対応関係に基づいて、前記基準信号を伝送するためのターゲットリソースを確定するように構成され、前記リソース識別子と前記ターゲットリソースとは１対１で対応することを特徴とする
請求項３４に記載の端末設備。
【請求項３６】
前記基準識別子と前記リソース識別子との間の対応関係は、
2019522403.tif 000398
を含み、ここで、前記
2019522403.tif 000399
は、前記リソース識別子を示し、前記
2019522403.tif 000400
は、前記セル識別子を示し、前記
2019522403.tif 000401
は、前記ビーム識別子を示し、前記
は、最大リソース識別子数を示すことを特徴とする
請求項３５に記載の端末設備。
【請求項３７】
前記受信モジュールは、さらに、
前記ネットワーク設備からの、前記ターゲットリソースを指示するためのリソース指示情報を含む指示情報を受信するように構成されることを特徴とする
請求項３４に記載の端末設備。
【請求項３８】
前記受信モジュールは、さらに、
前記ネットワーク設備からの、リソース識別子を指示するための識別子指示情報を含む指示情報を受信するように構成され、
前記確定モジュールは、さらに、前記識別子指示情報に基づいて、前記リソース識別子と１対１で対応する前記ターゲットリソースを確定するように構成されることを特徴とする
請求項３４に記載の端末設備。
【請求項３９】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項３８に記載の端末設備。
【請求項４０】
前記リソース識別子が時間領域リソース識別子を含む場合、前記確定モジュールは、具体的に、
2019522403.tif 000402
という対応関係のいずれか１つに基づいて、前記基準信号を伝送するための前記周波数領域リソースを確定し、及び/または
2019522403.tif 000403
という対応関係のいずれか１つに基づいて、前記基準信号を伝送するための前記空間領域リソースを確定するように構成され、
ここで、前記
2019522403.tif 000404
は、前記時間領域リソースの時間領域リソース周期内のリソース番号を示し、前記
2019522403.tif 000405
は、前記時間領域リソース周期の番号を示し、前記
2019522403.tif 000406
は、前記時間領域リソースの前記時間領域リソース周期内の対応する時間帯または時点を示し、前記
2019522403.tif 000407
は、前記時間領域リソース識別子を示し、前記
2019522403.tif 000408
は、周波数領域リソース識別子を示し、前記
2019522403.tif 000409
は、空間領域リソース識別子を示し、前記
2019522403.tif 000410
は、最大周波数領域リソース識別子数を示し、前記
2019522403.tif 000411
は、最大空間領域リソース識別子数を示すことを特徴とする
請求項３８または３９に記載の端末設備。
【請求項４１】
前記リソース識別子が周波数領域リソース識別子を含む場合、前記確定モジュールは、具体的に、
2019522403.tif 000412
に基づいて、前記基準信号を伝送するための前記時間領域リソースを確定し、及び/または
2019522403.tif 000413
に基づいて、前記基準信号を伝送するための前記空間領域リソースを確定することに用いられ、
ここで、前記
2019522403.tif 000414
は、時間領域リソース識別子を示し、前記
2019522403.tif 000415
は、最大時間領域リソース識別子数を示し、前記
2019522403.tif 000416
前記周波数領域リソース識別子を示し、前記
2019522403.tif 000417
は、最大空間領域リソース識別子数を示し、前記
2019522403.tif 000418
は、空間領域リソース識別子を示すことを特徴とする
請求項３８または３９に記載の端末設備。
【請求項４２】
前記リソース識別子が空間領域リソース識別子を含む場合、前記確定モジュールは、具体的に、
2019522403.tif 000419
に基づいて、前記基準信号を伝送するための前記時間領域リソースを確定し、及び/または
2019522403.tif 000420
に基づいて、前記基準信号を伝送するための前記周波数領域リソースを確定するように構成され、
ここで、前記
2019522403.tif 000421
は、時間領域リソース識別子を示し、前記
2019522403.tif 000422
は、最大時間領域リソース識別子数を示し、前記
2019522403.tif 000423
は、周波数領域リソース識別子を示し、前記
2019522403.tif 000424
は、最大周波数領域リソース識別子数を示し、前記
2019522403.tif 000425
は、前記空間領域リソース識別子を示すことを特徴とする
請求項３８または３９に記載の端末設備。
【請求項４３】
前記受信モジュールは、具体的に、
前記ネットワーク設備からの、上位層シグナリング、物理層シグナリングまたは媒体アクセス制御（ＭＡＣ）層の通知にベアリングされる指示メッセージを受信するように構成されることを特徴とする
請求項３７乃至４２のいずれか１項に記載の端末設備。
【請求項４４】
前記受信モジュールは、さらに、
前記ターゲットリソースが変更された場合、前記ネットワーク設備からの、変更後の前記ターゲットリソースの情報または前記ターゲットリソースが変更されたことを指示するための指示メッセージを含むページングメッセージを受信するように構成されることを特徴とする
請求項３４乃至４３のいずれか１項に記載の端末設備。
【発明の詳細な説明】
【技術分野】
【０００１】
本発明は、通信分野に関し、より具体的には、基準信号の伝送方法、ネットワーク設備及び端末設備に関する。
【背景技術】
【０００２】
セル特定の基準信号（Ｃｅｌｌ-ｓｐｅｃｉｆｉｃ  Ｒｅｆｅｒｅｎｃｅ  Ｓｉｇｎａｌ、ＣＲＳと略称）のような基準信号は、セル内の全ての端末設備に対して有効であり、その役割は、（１）端末設備によって、物理マルチキャストチャネル（Ｐｈｙｓｉｃａｌ  Ｍｕｌｔｉｃａｓｔ  Ｃｈａｎｎｅｌ、ＰＭＣＨと略称）及び伝送モード（Ｔｒａｎｓｍｉｓｓｉｏｎ  Ｍｏｄｅ）７/８/９（非コードブックベースによるプリコーディングに対応する）における物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称）の伝送以外の他の任意のダウンリンク物理チャネルに対してチャネル推定を行うことに使用されることができることと、（２）端末設備がチャネル状態情報（Ｃｈａｎｎｅｌ  Ｓｔａｔｅ  Ｉｎｆｏｒｍａｔｉｏｎ、ＣＳＩと略称）を取得するために使用されることができることと、（３）セル特定の基準信号に基づく端末測定は、セルの選択とハンドオーバーの基礎として使用されることができることを含む。
【０００３】
しかし、従来のＬＴＥシステム内の基準信号は、全帯域幅にわたって送信され、すべてのダウンリンクサブフレームで送信される。これは、リソースの無駄をもたらし、ネットワーク設備のエネルギー消費を増加するだけてなく、セル間の干渉ももたらす。
【発明の概要】
【発明が解決しようとする課題】
【０００４】
本発明の実施例は、ネットワーク設備の省エネルギーを実現し、セル間の干渉を回避することができる基準信号の伝送方法、ネットワーク設備及び端末設備を提供する。
【課題を解決するための手段】
【０００５】
第１の態様において、
ネットワーク設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記ネットワーク設備が、前記ターゲットリソースで前記基準信号を端末設備に送信することを含む、前記基準信号の伝送方法を提供する。
【０００６】
これにより、本発明の実施例によって提供される方法は、一部の特定のリソース位置で基準信号を伝送することができることで、ネットワーク設備のエネルギー消費を低減し、セル間の干渉を回避することができることが分かる。
【０００７】
ここで、上記時間領域リソースは、少なくとも１つの時間帯及び/または少なくとも１つの時点を含むことができ、また、選択的に、上記少なくとも１つの時間帯及び/または少なくとも１つの時点は、周期に応じて分布される。
【０００８】
他の実施例として、前記ネットワーク設備が、前記基準信号を伝送するためのターゲットリソースを確定することは、
前記ネットワーク設備が、セル識別子またはビーム識別子を含む基準識別子を確定することと、
前記ネットワーク設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含む。
【０００９】
他の実施例として、前記基準識別子と前記リソース識別子との間の対応関係は、
2019522403.tif 000003
を含み、ここで、前記
2019522403.tif 000004
は、前記リソース識別子を示し、前記
2019522403.tif 000005
は、前記セル識別子を示し、前記
2019522403.tif 000006
は、前記ビーム識別子を示し、前記
2019522403.tif 000007
は、最大リソース識別子数を示す。
【００１０】
他の実施例として、前記方法は、前記ネットワーク設備が、前記ターゲットリソースを指示するためのリソース指示情報を含む指示情報を前記端末設備に送信することをさらに含む。
【００１１】
他の実施例として、前記方法は、前記ネットワーク設備が、リソース識別子を指示するための識別子指示情報を含む指示情報を前記端末設備に送信し、前記リソース識別子と前記ターゲットリソースとは１対１で対応することをさらに含む。
【００１２】
ここで、ターゲットリソースとリソース識別子とのマッピング関係は、ネットワーク側によって構成されてもよく、プロトコルで予め定義されてもよい。
【００１３】
他の実施例として、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【００１４】
他の実施例として、前記リソース識別子が時間領域リソース識別子を含む場合、前記ネットワーク設備が、前記基準信号を伝送するためのターゲットリソースを確定することは、
前記ネットワーク設備が、
2019522403.tif 000008
という対応関係のいずれか１つに基づいて、前記基準信号を伝送するための前記周波数領域リソースを確定すること、及び/または
前記ネットワーク設備が、
2019522403.tif 000009
という対応関係のいずれか１つに基づいて、前記基準信号を伝送するための前記空間領域リソースを確定することを含み、
ここで、前記
2019522403.tif 000010
は、前記時間領域リソースの時間領域リソース周期内のリソース番号を示し、前記
2019522403.tif 000011
は、前記時間領域リソース周期の番号を示し、前記
2019522403.tif 000012
は、前記時間領域リソースの前記時間領域リソース周期内の対応する時間帯または時点を示し、前記
2019522403.tif 000013
は、前記時間領域リソース識別子を示し、前記
2019522403.tif 000014
は、周波数領域リソース識別子を示し、前記
2019522403.tif 000015
は、空間領域リソース識別子を示し、前記
2019522403.tif 000016
は、最大周波数領域リソース識別子数を示し、前記
2019522403.tif 000017
は、最大空間領域リソース識別子数を示す。
【００１５】
ここで、上記時間領域リソース周期の情報は、時間領域リソース識別子の情報にベアリングされてもよく、別に構成されてもよく、またはプロトコルにおいて規定されてもよい。
【００１６】
なお、上記時間領域リソースの時間領域リソース周期内のリソース番号
2019522403.tif 000018
は、システムフレーム番号と、サブフレーム番号と、時間スロット番号等無線フレームの番号を含むことができる。
【００１７】
他の実施例として、前記リソース識別子が周波数領域リソース識別子を含む場合、前記ネットワーク設備が、前記基準信号を伝送するためのターゲットリソースを確定することは、
前記ネットワーク設備が、
2019522403.tif 000019
に基づいて、前記基準信号を伝送するための前記時間領域リソースを確定すること、及び/または
前記ネットワーク設備が、
2019522403.tif 000020
に基づいて、前記基準信号を伝送するための前記空間領域リソースを確定することを含み、
ここで、前記
2019522403.tif 000021
は、時間領域リソース識別子を示し、前記
2019522403.tif 000022
は、最大時間領域リソース識別子数を示し、前記
2019522403.tif 000023
前記周波数領域リソース識別子を示し、前記
2019522403.tif 000024
は、最大空間領域リソース識別子数を示し、前記
2019522403.tif 000025
は、空間領域リソース識別子を示す。
【００１８】
他の実施例として、前記リソース識別子が空間領域リソース識別子を含む場合、前記ネットワーク設備が、前記基準信号を伝送するためのターゲットリソースを確定することは、
前記ネットワーク設備が、
2019522403.tif 000026
に基づいて、前記基準信号を伝送するための前記時間領域リソースを確定すること、及び/または
前記ネットワーク設備が、
2019522403.tif 000027
に基づいて、前記基準信号を伝送するための前記周波数領域リソースを確定することを含み、
ここで、前記
2019522403.tif 000028
は、時間領域リソース識別子を示し、前記
2019522403.tif 000029
は、最大時間領域リソース識別子数を示し、前記
2019522403.tif 000030
は、周波数領域リソース識別子を示し、前記
2019522403.tif 000031
は、最大周波数領域リソース識別子数を示し、前記
2019522403.tif 000032
は、前記空間領域リソース識別子を示す。
【００１９】
他の実施例として、前記ネットワーク設備が、指示情報を前記端末設備に送信することは、
前記ネットワーク設備が、上位層シグナリング、物理層シグナリングまたは媒体アクセス制御（ＭＡＣ）層の通知にベアリングされる前記指示メッセージを前記端末設備に送信することを含む。
【００２０】
選択的に、周波数領域リソース、時間領域リソース及び空間領域リソースに対応する３つのリソース項目において、それぞれのリソース項目は任意選択可能であって、上記基準信号のためにあるリソース項目を構成しなかった場合、即ち、上記リソース項目が空きである場合、上記基準信号は、上記リソース項目が指しているリソースで任意に送信することができ、例えば、上記リソース項目に対応する基準信号を伝送するための全てのリソースに上記基準信号を送信してもよく、またはプロトコルに規定される特定のリソース位置に送信してもよい。
【００２１】
他の実施例として、前記方法は、
前記ターゲットリソースが変更された場合、前記ネットワーク設備が、変更後の前記ターゲットリソースの情報または前記ターゲットリソースが変更されたことを指示するための指示メッセージを含むページングメッセージを前記端末設備に送信することをさらに含む。
【００２２】
第２の態様において、前記第１の態様及び各種の実施形態における基準信号伝送のための方法における、ネットワーク設備によって実行される各プロセスを実行するように構成されることができるネットワーク設備を提供する。上記ネットワーク設備は、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むように構成される確定モジュールと、前記確定モジュールによって確定された前記ターゲットリソースで、前記基準信号を端末設備に送信するように構成される送信モジュールとを含む。
【００２３】
第３の態様において、前記第１の態様及び各種の実施形態の基準信号伝送のための方法における、ネットワーク設備によって実行される各プロセスを実行するように構成されることができるネットワーク設備を提供する。上記ネットワーク設備は、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むように構成されるプロセッサと、前記ターゲットリソース上で前記基準信号を端末設備に送信するように構成される送信機を含むネットワーク設備を提供する。
【００２４】
第４の態様において、
端末設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記端末設備が、前記ターゲットリソースでネットワーク設備からの前記基準信号を受信することを含む、基準信号の伝送方法を提供する。
【００２５】
ここで、上記時間領域リソースは、少なくとも１つの時間帯及び/または少なくとも１つの時点を含むことができ、また、選択的に、上記少なくとも１つの時間帯及び/または少なくとも１つの時点は、周期に応じて分布される。
【００２６】
他の実施例として、前記端末設備が、前記基準信号を伝送するためのターゲットリソースを確定することは、
前記端末設備が、セル識別子またはビーム識別子を含む基準識別子を確定することと、
前記端末設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含む。
【００２７】
他の実施例として、前記基準識別子と前記リソース識別子との間の対応関係は、
2019522403.tif 000033
を含み、ここで、前記
2019522403.tif 000034
は、前記リソース識別子を示し、前記
2019522403.tif 000035
は、前記セル識別子を示し、前記
2019522403.tif 000036
は、前記ビーム識別子を示し、前記
2019522403.tif 000037
は、最大リソース識別子数を示す。
【００２８】
他の実施例として、前記端末設備が、前記基準信号を伝送するためのターゲットリソースを確定することは、
前記端末設備が、前記ネットワーク設備からの、前記ターゲットリソースを指示するためのリソース指示情報を含む指示情報を受信することを含む。
【００２９】
他の実施例として、前記端末設備が、前記基準信号を伝送するためのターゲットリソースを確定することは、
前記端末設備が、前記ネットワーク設備からの、リソース識別子を指示するための識別子指示情報を含む指示情報を受信することと、
前記端末設備が、前記識別子指示情報に基づいて、前記リソース識別子と１対１で対応する前記ターゲットリソースを確定することを含む。
【００３０】
他の実施例として、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【００３１】
他の実施例として、前記リソース識別子が時間領域リソース識別子を含む場合、前記端末設備が、前記基準信号を伝送するためのターゲットリソースを確定することは、
前記端末設備が、
2019522403.tif 000038
という対応関係のいずれか１つに基づいて、前記基準信号を伝送するための前記周波数領域リソースを確定すること、及び/または
前記端末設備が、
2019522403.tif 000039
という対応関係のいずれか１つに基づいて、前記基準信号を伝送するための前記空間領域リソースを確定することを含み、
ここで、前記
2019522403.tif 000040
は、前記時間領域リソースの時間領域リソース周期内のリソース番号を示し、前記
2019522403.tif 000041
は、前記時間領域リソース周期の番号を示し、前記
2019522403.tif 000042
は、前記時間領域リソースの前記時間領域リソース周期内の対応する時間帯または時点を示し、前記
2019522403.tif 000043
は、前記時間領域リソース識別子を示し、前記
2019522403.tif 000044
は、周波数領域リソース識別子を示し、前記
2019522403.tif 000045
は、空間領域リソース識別子を示し、前記
2019522403.tif 000046
は、最大周波数領域リソース識別子数を示し、前記
2019522403.tif 000047
は、最大空間領域リソース識別子数を示す。
【００３２】
ここで、上記時間領域リソース周期の情報は、時間領域リソース識別子にベアリングされてもよく、別に構成されてもよく、またはプロトコルにおいて規定されてもよい。
なお、上記時間領域リソースの時間領域リソース周期内のリソース番号
2019522403.tif 000048
は、システムフレーム番号と、サブフレーム番号と、時間スロット番号等無線フレームの番号を含むことができる。
【００３３】
他の実施例として、前記リソース識別子が周波数領域リソース識別子を含む場合、前記端末設備が、前記基準信号を伝送するためのターゲットリソースを確定することは、
前記端末設備が、
2019522403.tif 000049
に基づいて、前記基準信号を伝送するための前記時間領域リソースを確定すること、及び/または
前記端末設備が、
2019522403.tif 000050
に基づいて、前記基準信号を伝送するための前記空間領域リソースを確定することを含み、
ここで、前記
2019522403.tif 000051
は、時間領域リソース識別子を示し、前記
2019522403.tif 000052
は、最大時間領域リソース識別子数を示し、前記
2019522403.tif 000053
前記周波数領域リソース識別子を示し、前記
2019522403.tif 000054
は、最大空間領域リソース識別子数を示し、前記
2019522403.tif 000055
は、空間領域リソース識別子を示す。
【００３４】
他の実施例として、前記リソース識別子が空間領域リソース識別子を含む場合、前記ネットワーク設備が、前記基準信号を伝送するためのターゲットリソースを確定することは、
前記端末設備が、
2019522403.tif 000056
に基づいて、前記基準信号を伝送するための前記時間領域リソース識別子を確定すること、及び/または
前記端末設備が、
2019522403.tif 000057
に基づいて、前記基準信号を伝送するための前記周波数領域リソース識別子を確定することを含み、
ここで、前記
2019522403.tif 000058
は、時間領域リソース識別子を示し、前記
2019522403.tif 000059
は、最大時間領域リソース識別子数を示し、前記
2019522403.tif 000060
は、周波数領域リソース識別子を示し、前記
2019522403.tif 000061
は、最大周波数領域リソース識別子数を示し、前記
2019522403.tif 000062
は、前記空間領域リソース識別子を示す。
【００３５】
他の実施例として、前記端末設備が、前記ネットワーク設備からの指示情報を受信することは、
前記端末設備が、前記ネットワーク設備からの、上位層シグナリング、物理層シグナリングまたは媒体アクセス制御（ＭＡＣ）層の通知にベアリングされる前記指示メッセージを受信することを含む。
【００３６】
選択的に、周波数領域リソース、時間領域リソース及び空間領域リソースに対応する３つのリソース項目において、それぞれのリソース項目は任意選択可能であり、上記基準信号のためにあるリソース項目を構成しなかった場合、即ち、上記リソース項目が空きである場合、上記基準信号は、上記リソース項目が指しているリソースで任意に送信することができ、例えば、上記リソース項目に対応する基準信号を伝送するための全てのリソースに上記基準信号を送信してもよく、またはプロトコルに規定される特定のリソース位置に送信してもよい。
【００３７】
他の実施例として、前記方法は、
前記ターゲットリソースが変更された場合、前記端末設備が、前記ネットワーク設備からの、変更後の前記ターゲットリソースの情報または前記ターゲットリソースが変更されたことを指示するための指示メッセージを含むページングメッセージを受信することをさらに含む。
【００３８】
第５の態様において、前記第４の態様及び各種の実施形態の基準信号伝送のための方法における、端末設備によって実行される各プロセスを実行するように構成されることができ、前記端末設備が、前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含む確定モジュールと、前記ターゲットリソースでネットワーク設備からの前記基準信号を受信するように構成される受信モジュールを含む、端末設備を提供する。
【００３９】
第６の態様において、前記第４の態様及び各種の実施形態の基準信号伝送のための方法における、端末設備によって実行される各プロセスを実行するように構成されることができ、前記端末設備が、前記基準信号を伝送するためのターゲットリソース、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むプロセッサと、前記ターゲットリソース上でネットワーク設備からの前記基準信号を受信するように構成される受信機を含む、端末設備を提供する。
【００４０】
第７の態様において、入力インタフェースと、出力インタフェースと、少なくとも１つのプロセッサと、メモリを含み、前記プロセッサは、前記メモリ内のコードを実行するように構成され、前記コードが実行される時、前記プロセッサは、前記第１の態様及び各種の実施形態のデータの伝送方法における、端末設備によって実行される各プロセスを実現することができる、コンピュータチップを提供する。
【００４１】
第８の態様において、入力インタフェースと、出力インタフェースと、少なくとも１つのプロセッサと、メモリを含み、前記プロセッサは、前記メモリ内のコードを実行するように構成され、前記コードが実行される時、前記プロセッサは、前記第４の態様及び各種の実施形態のデータの伝送方法における、ネットワーク設備によって実行される各プロセスを実現することができる、コンピュータチップを提供する。
【００４２】
第９の態様において、端末設備が前記第１の態様、及びその各種の実施形態の何れか１つの基準信号伝送のための方法を実行するようにするプログラムが記憶されている、コンピュータ読み取り可能な記憶媒体を提供する。
【００４３】
第１０の態様において、ネットワーク設備が前記第４の態様、及びその各種の実施形態の何れか１つの基準信号伝送のための方法を実行するようにするプログラムが記憶されている、コンピュータ読み取り可能な記憶媒体を提供する。
【図面の簡単な説明】
【００４４】
【図１】本発明の実施例の１つの適用場面の模式図である。
【図２】本発明の実施例の基準信号の伝送方法のプロセスにおけるインタラクション図である。
【図３】本発明の一実施例のネットワーク設備の構造ブロック図である。
【図４】本発明の一実施例のネットワーク設備の他の構造ブロック図である。
【図５】本発明の一実施例のシステムチップの模式的な構造図である。
【図６】本発明の一実施例の端末設備の構造ブロック図である。
【図７】本発明の一実施例の端末設備の他の構造ブロック図である。
【図８】本発明の一実施例のシステムチップの他の模式的な構造図である。
【発明を実施するための形態】
【００４５】
本発明の実施例の技術的解決策をより明確に説明するために、上記において、本発明の実施例に対する説明のために必要な図面を簡単について説明し、明らかに、以下の説明における図面は、単なる本出願の一部の実施例であり、当業者にとっては、創造的な労力を払うことなく、これらの図面に従って他の図面を得ることができる。
【００４６】
以下は、本発明の実施例の図面に合わせて、本発明の実施例の技術的解決策を明確、完全に説明し、明らかに、記載された実施例は本発明の全部の実施例ではなく、ただ一部の実施例である。本発明の実施例に基づいて、当業者が創造的な労力を払うことなくて獲得される全ての他の実施例は本出願の範囲内である。
【００４７】
本発明の実施例の技術的解決策は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭと略称）システム、符号分割多元接続（Ｃｏｄｅ  Ｄｉｖｉｓｉｏｎ  Ｍｕｌｔｉｐｌｅ  Ａｃｃｅｓｓ、ＣＤＭＡと略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡと略称）システム、汎用パケット無線サービス（Ｇｅｎｅｒａｌ  Ｐａｃｋｅｔ  Ｒａｄｉｏ  Ｓｅｒｖｉｃｅ、ＧＰＲＳと略称）、ロング・ターム・エヴォリューション（Ｌｏｎｇ  Ｔｅｒｍ  Ｅｖｏｌｕｔｉｏｎ、ＬＴＥと略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳと略称）等の現在の各種の通信システムに適用することができ、及び、特に将来の５Ｇシステムに適用することを理解すべきである。
【００４８】
本発明の実施例の端末設備は、ユーザ設備（Ｕｓｅｒ  Ｅｑｕｉｐｍｅｎｔ、ＵＥと略称）、アクセス端末、加入者ユニット、加入者局、移動局、移動台、遠隔局、遠隔端末、移動設備、ユーザ端末、端末、無線通信設備、ユーザエージェントまたはユーザ装置とも呼ばれる。アクセス端末は、携帯電話、コードレス電話、セッション・イニシエーションプロトコル（Ｓｅｓｓｉｏｎ  Ｉｎｉｔｉａｔｉｏｎ  Ｐｒｏｔｏｃｏｌ、ＳＩＰと略称）電話、無線・ローカル・ループ（Ｗｉｒｅｌｅｓｓ  Ｌｏｃａｌ  Ｌｏｏｐ、ＷＬＬと略称）局、パーソナル・デジタル・アシスタント（Ｐｅｒｓｏｎａｌ  Ｄｉｇｉｔａｌ  Ａｓｓｉｓｔａｎｔ、ＰＤＡと略称）、無線通信機能を有するハンドヘルド設備、コンピューティング設備または無線モデムに接続された他の処理設備、車載設備、ウェアラブル設備、将来の５Ｇネットワークにおける端末設備または将来の進化型公衆陸上移動通信ネットワーク（Ｐｕｂｌｉｃ  Ｌａｎｄ  Ｍｏｂｉｌｅ  Ｎｅｔｗｏｒｋ、ＰＬＭＮと略称）の端末設備等であることができる。
【００４９】
本発明の実施例のネットワーク設備は、端末設備と通信するための設備であることができ、上記ネットワーク設備は、ＧＳＭまたはＣＤＭＡの基地局（Ｂａｓｅ  Ｔｒａｎｓｃｅｉｖｅｒ  Ｓｔａｔｉｏｎ、ＢＴＳと略称）であってもよく、ＷＣＤＭＡシステムの基地局（ＮｏｄｅＢ、ＮＢと略称）であってもよく、ＬＴＥシステムの進化型基地局（Ｅｖｏｌｕｔｉｏｎａｌ  ＮｏｄｅＢ、ｅＮＢまたはｅＮｏｄｅＢと略称）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮと略称）シナリオでの無線コントローラであってもよく、または上記ネットワーク設備は、中継局、アクセスポイント、車載設備、ウェアラブル設備及び将来５Ｇネットワークのネットワーク設備または将来の進化型ＰＬＭＮネットワークのネットワーク設備等であってもよい。以下は、基地局を一例として記述する。
【００５０】
セル特定の基準信号のような従来のＬＴＥシステムの基準信号の場合、セルは、１つ、２つまたは４つのセル特定の基準信号を使用し、それに応じて、１つ、２つまたは４つのアンテナポートをそれぞれ使用することができる。セル特定の基準信号は、アンテナポート０〜３のうちの１つまたは幾つかでのみ伝送する。セル特定の基準信号は、すべてのダウンリンクサブフレーム、ダウンリンク帯域幅全体内のすべてのＲＢ上で送信することになる。マルチキャストブロードキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、ＭＢＳＦＮと略称）のサブフレームでは、セル特定の基準信号は、上記サブフレームの非ＭＢＳＦＮ領域（ｎｏｎ-ＭＢＳＦＮ  ｒｅｇｉｏｎ）でしか伝送できない。セル特定の基準信号が全帯域幅にわたって送信し、しかもすべてのダウンリンクサブフレームで送信するため、ネットワーク設備の省エネルギー及びセル間の干渉を回避する観点から、将来の５Ｇシステムでは、特定の周波数領域リソース上で基準信号を送信するように選択することができ、しかも、特定の時点または時間帯で規則的にまたは不規則的に基準信号を送信することができる。
【００５１】
本発明の実施例における基準信号は、基準チャネル等とも呼ばれ、本発明はこれに対して限定しない。基準信号を特定のリソース位置で送信した後、端末設備は、一定の方法で上記基準信号のリソース位置を取得して、上記基準信号を受信し、上記基準信号に対して復調することができ、そして上記基準信号を利用してチャネル推定またはチャネル検出を行う。
【００５２】
図１は、本発明の１つの適用場面の模式図である。図１の通信システムは、基地局１０及び端末設備２０を含むことができる。基地局１０は、端末設備２０に通信サービスを提供し、コアネットワークにアクセスするために用いられ、端末設備２０は、基地局１０からの同期信号、ブロードキャスト信号等をサーチして、ネットワークにアクセスすることによって、ネットワークとの通信を行う。図１に示された矢印は、端末設備２０と基地局１０との間のセルラーリンクによるアップリンク/ダウンリンクの伝送を示すことができる。本発明の実施例は、一部の特定のリソース位置で基準信号を送信することによって、ネットワーク設備の省エネルギー及びセル間の干渉の回避を実現することができる。
【００５３】
図２は、本発明の実施例による基準信号の伝送方法のプロセスインタラクション図を示す。図２には、基地局１０及び端末設備２０を示し、図２の基地局１０によって実行される方法は、他のネットワーク設備によって実行されることができる。図２に示されたように、上記伝送基準信号の具体的なプロセスは、２０１〜２０５を含む。
【００５４】
２０１において、基地局１０は、基準信号を送信するためのターゲットリソースを確定する。
【００５５】
ここで、基地局１０が基準信号を送信するためのターゲットリソースを確定することは、基地局１０が基準チャネルを伝送するためのターゲットリソースを確定するとも呼ばれる。
【００５６】
具体的に、基地局１０は、基準信号を移動端末２０に送信する前に、上記基準信号に特定のリソース位置を構成し、上記特定のリソース位置で上記基準信号を移動端末２０に送信するが、すべてのダウンリンクサブフレーム及び全帯域幅内で送信する必要がなく、ただ一部のリソース位置上で基準信号を送信するため、基地局１０のエネルギー消費を減少し、セル間の干渉を回避することができる。
【００５７】
ここで、上記ターゲットリソースは、上記基準信号を伝送するための伝送リソース内の一部のリソースであり、上記ターゲットリソースは、周波数領域リソース、時間領域リソース及び空間領域リソースのうちの少なくとも１つを含む。上記空間領域リソースは、マルチ入力マルチ出力（Ｍｕｌｔｉｐｌｅ-Ｉｎｐｕｔ  Ｍｕｌｔｉｐｌｅ-Ｏｕｔｐｕｔ、ＭＩＭＯと略称）等のアンテナ技術で形成されたマルチストリームデータの伝送モードであることができる。上記時間領域リソースは、少なくとも１つの時間帯及び/または少なくとも１つの時点を含むことができ、選択的に、上記少なくとも１つの時間帯及び/または少なくとも１つの時点は、周期に応じて分布される。
【００５８】
ここでの基地局１０が、基準信号を送信するためのターゲットリソースを確定することは、基地局１０が、上記基準信号に対応する基準チャネルを伝送するためのターゲットリソースを確定するとも言えるが、本発明の実施例における基地局１０は、他の特定信号または特定チャネルのために伝送するためのターゲットリソースを確定することもできることを理解すべきである。上記基準信号を伝送するリソースは、周波数領域リソース、時間領域リソース及び空間領域リソースのうちの少なくとも１つを含むことができる。
【００５９】
具体的に、基地局１０は、上記基準信号のために周波数領域リソース、時間領域リソース及び空間領域リソースのうちの少なくとも１つを構成することができる。周波数領域リソース、時間領域リソース及び空間領域リソースに対応する３つのリソース項目において、それぞれのリソース項目は任意選択可能であり、基地局１０が上記基準信号のためにある項目のリソースを構成しなかった場合、即ち、上記リソース項目が空きである場合、上記基準信号は、上記リソース項目が指しているリソースで任意に送信することができることを表し、例えば、上記リソース項目に対応する基準信号を伝送するための全てのリソースに都送信上記基準信号、またはプロトコルに規定される特定のリソース位置に送信してもよい。
【００６０】
さらに、基地局１０の確定した上記基準信号を伝送するためのリソースは、基地局１０がプロトコルの規定に従って取得した上記基準信号を伝送するためのリソースであることもでき、本発明はこれに対して限定しないことを理解すべきである。
【００６１】
ここで、上記基準信号は、例えば、セル特定の基準信号ＣＲＳを含むことができる。
【００６２】
選択的に、基地局１０が、上記基準信号を伝送するためのターゲットリソースを確定することは、
セル識別子またはビーム識別子を含む基準識別子を確定することと、
上記基準識別子、及び上記基準識別子とリソース識別子との間の対応関係に基づいて、上記基準信号を伝送するためのターゲットリソースを確定し、上記リソース識別子と上記ターゲットリソースとは一対一で対応することを含む。
【００６３】
具体的に、ネットワーク設備は、基準識別子、及び上記基準識別子とリソース識別子との間の対応関係に基づいて、上記リソース識別子を確定し、上記リソース識別子に基づいて、上記リソース識別子と１対１で対応する基準信号を伝送するためのターゲットリソースを確定することができる。上記リソース識別子とターゲットリソースとの対応関係は、具体的には以下の表１ないし表４に関する説明を参照することができる。
【００６４】
選択的に、上記基準識別子と上記リソース識別子との対応関係は、
2019522403.tif 000063
を含むことができ、ここで、上記
2019522403.tif 000064
は、上記リソース識別子を示し、上記
2019522403.tif 000065
は、上記セル識別子を示し、上記
2019522403.tif 000066
は、上記ビーム識別子を示し、上記
2019522403.tif 000067
は、最大リソース識別子数を示す。
【００６５】
一例を挙げて説明すると、もしセル識別子を
2019522403.tif 000068
とし、最大リソース識別子数を
2019522403.tif 000069
とすると、リソース識別子が
2019522403.tif 000070
であることを計算することができ、基地局１０は、
2019522403.tif 000071
に対応するターゲットリソース上で基準信号を端末設備２０に送信すべきである。
【００６６】
また、例えば、もしビーム識別子を
2019522403.tif 000072
とし、最大リソース識別子数を
2019522403.tif 000073
とすると、リソース識別子が
2019522403.tif 000074
であることを計算することができ、基地局１０は、
2019522403.tif 000075
に対応するターゲットリソース上で基準信号を端末設備２０に送信すべきである。
【００６７】
ここで確定されたリソース識別子は、時間領域リソース識別子、周波数領域リソース識別子と空間領域リソース識別子を示す組み合わせリソース識別子であってもよく、また時間領域リソースを指示するための時間領域リソース識別子であってもよく、周波数領域リソースを指示するための周波数領域リソース識別子、または空間領域リソースを指示するための空間領域リソース識別子であってもよいことを理解すべきである。例えば、基地局１０は、セル識別子に基づいて、時間領域リソース識別子を確定してから、時間領域リソース識別子と周波数領域リソース識別子または空間領域リソース識別子の関係に基づいて、周波数領域リソース識別子または空間領域リソース識別子を確定することができる。本発明は、これに対して限定しない。
【００６８】
２０２において、基地局１０は、指示情報を端末設備２０に送信する。
【００６９】
具体的に、端末設備２０が、上記指示情報に基づいて、上記基準信号を受信するためのターゲットリソースの位置を取得するように、上記指示情報は、上記基準信号を伝送するためのターゲットリソースを明示的にまたは黙示的に指示することに用いられる。
【００７０】
例えば、基地局１０は、指示情報を端末設備２０に送信して、基準信号を伝送するためのターゲットリソースの位置を明示的に指示することができ、基地局１０は、また、上記ターゲットリソースの位置を端末設備に黙示的に指示し、上記ターゲットリソースに対応するリソース識別子を端末設備２０に指示することにより、端末設備２０が上記基準信号を受信するためのターゲットリソースを取得するようにすることができる。
【００７１】
選択的に、基地局１０は、前記ターゲットリソースを指示するためのリソース指示情報を含む指示情報を端末設備２０に送信することができる。
【００７２】
上記実施例において、基地局１０は、上記基準信号を伝送するためのターゲットリソースを直接に指示するリソース指示情報を端末設備に送信することにより、端末設備２０が、上記リソース指示情報に基づいて、上記基準信号を伝送するためのターゲットリソースを直接に取得することができるようにすることができる。
【００７３】
選択的に、基地局１０は、ソース識別子を指示するための識別子指示情報を含む指示情報を端末設備２０に送信し、上記リソース識別子とターゲットリソースとは、一対一で対応する。
【００７４】
具体的に、上記基準信号を伝送するためのターゲットリソースと、上記ターゲットリソースを指示するリソース識別子とは、１対１で対応し、上記基準信号のリソース識別子が分かる場合、上記リソース識別子に基づいて、上記基準信号を伝送するためのターゲットリソースを確定することができる。したがって、基地局１０は、上記ターゲットリソースに対応するリソース識別子を端末設備２０に送信することにより、端末設備２０が基準信号を伝送するためのターゲットリソースを取得することができる。
【００７５】
選択的に、上記リソース識別子は、
上記周波数領域リソースを指示するための周波数領域リソース識別子、上記時間領域リソース及び時間領域リソース周期を指示するための時間領域リソース識別子、上記空間領域リソースを指示するための空間領域リソース識別子、及び上記周波数領域リソース、上記時間領域リソース及び上記空間領域リソースのうちの少なくとも２つのリソースを指示するための組み合わせリソース識別子のうちの少なくとも１つの識別子を含むことができる。
【００７６】
具体的に、上記リソース識別子には、少なくとも１つのリソース識別子を含むことができ、上記組み合わせリソース識別子には、周波数領域リソース、時間領域リソース及び空間領域リソースのうちの少なくとも２つのリソース位置の組み合わせを含むことができる。例えば、上記リソース識別子には、周波数領域リソース識別子、時間領域リソース識別子及び空間領域リソース識別子を含むか、または上記周波数領域リソース、上記時間領域リソース及び上記空間領域リソースを同時に指示する組み合わせリソース識別子を含むか、または空間領域リソース識別子、及び上記周波数領域リソース及び上記時間領域リソースを指示する組み合わせリソース識別子を含むことができる。
【００７７】
以下には、表１〜表４に参照しながら、本発明の実施例におけるターゲットリソースとリソース識別子との間の対応関係を一例として説明する。表１は、周波数領域リソース、時間領域リソース及び空間領域リソースと組み合わせリソース識別子との対応関係である。
【００７８】
【表１】
2019522403.tif 000076
【００７９】
ここで、表１内の組み合わせ識別子は、０、１、２、３……
2019522403.tif 000077
を含むことができ、ここで、
2019522403.tif 000078
は、自然数であり、それぞれの識別子番号は、特定の周波数領域リソース、時間領域リソース及び空間領域リソースに対応する。
【００８０】
表１の第２の列は、周波数領域リソースを示し、
2019522403.tif 000079
は、周波数領域リソース内の１つの連続区間、即ち、１つの特定の周波数帯域の範囲を示し、ｉは、１以上でｍ以下の整数であり、ｍは、周波数領域リソース全体によって分割されたサブリソースの総数であり、例えば、ｍ＝５である場合、周波数領域リソース全体が５つのサブ周波数領域リソースに分割されることを示し、それぞれのサブ周波数領域リソースに対応する周波数領域リソース位置は、お互いに異なる。
【００８１】
表１内の第３の列は、時間領域リソースを示し、時間領域リソースには、特定の時間帯及び/または特定の時点、及び時間領域リソース周期
2019522403.tif 000080
を含むことができる。ここで、
2019522403.tif 000081
は、時間領域リソース内の１つの連続区間、即ち、１つの特定の時間帯の識別子、または１つの特定の時点の識別子を示し、ｉは１以上でｎ以下の整数である。ｎは、固定時間領域リソースによって分割されたサブリソースの総数である。各時間領域リソース周期には、周期に応じて分配された少なくとも１つの時間帯及び/または少なくとも１つの時点を含むことができることを理解すべきである。
【００８２】
一例を挙げて説明すると、例えば、時間領域リソース周期
2019522403.tif 000082
、ｎ＝１０、時点の識別子
2019522403.tif 000083
とする場合、基地局１０は、各１０ｍｓ内の第２ｍｓで基準信号を送信することができ、また時間領域リソース周期
2019522403.tif 000084
、ｎ＝５、時点の識別子ｉ＝３とする場合、基地局１０は、各５ｍｓ内の第３ｍｓで基準信号を送信することができ、また時間領域リソース周期
2019522403.tif 000085
、ｎ＝２とし、上記時間周期を２つの時間帯に分けて、それぞれに時間帯１０（０〜７ｍｓ）及び時間帯２０（７〜１４ｍｓ）であり、時間帯の識別子
2019522403.tif 000086
をする場合、基地局１０は、各１４ｍｓ内の第７ｍｓ〜第１４ｍｓで基準信号を送信することができ、また、時間領域リソース周期
2019522403.tif 000087
、ｎ＝３とし、上記時間周期を３つの時間帯に分けて、それぞれに時間帯１０（０〜２ｍｓ）、時間帯２０（４〜６ｍｓ）及び時間帯３０（８〜１０ｍｓ）とし、時間帯の識別子ｉ＝３０とする場合、基地局１０は、各１０ｍｓ内の第８ｍｓ〜第１０ｍｓ上で基準信号を送信することができる。特に、
2019522403.tif 000088
、ｎ＝１０は、さらに、１つの無線フレームに１０つのサブフレーム（各サブフレームは１ｍｓである）を含まれることを示すことができ、
2019522403.tif 000089
が、対応する上記無線フレーム内の何番目のサブフレームで基準信号を送信することを示す。
【００８３】
ここで、上記時間領域リソース周期の情報は、時間領域リソース識別子の情報にベアリングされてもよく、単独で構成されてもよく、またはプロトコルにおいて規定されてもよい。
【００８４】
表１内の第４の列は、空間領域リソースを示し、上記空間領域リソースは、層（Ｌａｒｙｅｒ、「Ｌ」と略称）によって示し、
2019522403.tif 000090
は、第ｉ个空間領域リソースを示し、ｉは、１以上でｋ以下の整数である。ｋは、空間領域リソース全体が分割された層の総数であり、例えば、ｍ＝５である場合、空間領域リソース全体が５つの層に分割される。
【００８５】
一例を挙げて説明すると、識別子番号０に対応する周波数領域リソースは、
2019522403.tif 000091
及び
2019522403.tif 000092
を含み、識別子０に対応する時間領域リソースは、
2019522403.tif 000093
周期内の時間帯
2019522403.tif 000094
を含み、識別子０に対応する空間領域リソースは、
2019522403.tif 000095
を含む。基地局１０が上記基準信号のリソース識別子を確定すれば、上記リソース識別子と１対１で対応するターゲットリソースを確定することができる。そして上記ターゲットリソース（周波数領域リソース、時間領域リソース及び空間領域リソース）上で基準信号を端末設備２０に送信し、即ち、周波数帯域
2019522403.tif 000096
と
2019522403.tif 000097
、時間帯
2019522403.tif 000098
、及び層
2019522403.tif 000099
で基準信号を端末設備に送信する。
【００８６】
上記した１つの特定のリソース識別子で多種のリソースの組み合わせを示すこと以外に、１つの特定のリソース識別子でその中の任意の１つのリソースを示すことができ、例えば、周波数領域リソース、時間領域リソース及び空間領域リソースがそれぞれに、各自のリソース識別子に対応する。表２、表３及び表４は、それぞれ周波数領域リソース及び周波数領域リソース識別子との対応関係であり、時間領域リソースと時間領域リソース識別子との対応関係、及び空間領域リソースと空間領域リソース識別子との対応関係である。
【００８７】
【表２】
2019522403.tif 000100
【００８８】
【表３】
2019522403.tif 000101
【００８９】
【表４】
2019522403.tif 000102
【００９０】
ここで、
2019522403.tif 000103
は、それぞれ周波数領域リソース識別子の最大リソース識別子数、時間領域リソース識別子の最大リソース識別子数及び空間領域リソース識別子の最大リソース識別子数を示す。表２ないし表４内の記号の意味は、前記表１の説明を参照することができ、簡潔にするために、詳細についてはここで再び説明しない。
【００９１】
ターゲットリソースとリソース識別子とのマッピング関係は、ネットワーク側によって構成されてもよく、プロトコル内で予め定義されてもよいことを理解すべきである。本発明はこれに対して限定しない。
【００９２】
以上で説明したターゲットリソースとリソース識別子との対応関係は、一例にすぎず、上記リソース識別子とターゲットリソースとの対応関係は、他の方法で確定することもできる。例えば、２０１において、ネットワーク設備が上記基準信号を伝送するためのターゲットリソースを確定することは、ターゲットリソース内のいずれか１種のリソースに対応するリソース識別子に基づいて、上記ターゲットリソースを確定することであることができる。
【００９３】
一例を挙げて説明すると、基地局１０は、時間領域リソース識別子に基づいて、周波数領域リソース識別子及び空間領域リソース識別子を確定することができ、そして上記時間領域リソース識別子、上記周波数領域リソース識別子及び上記空間領域リソース識別子に基づいて、上記ターゲットリソースを確定することができる。または基地局１０は、周波数領域リソース識別子に基づいて、時間領域リソース識別子及び空間領域リソース識別子を確定することができ、そして上記時間領域リソース識別子、上記周波数領域リソース識別子及び上記空間領域リソース識別子に基づいて、上記ターゲットリソースを確定することができる。または基地局１０は、空間領域リソース識別子に基づいて、時間領域リソース識別子及び周波数領域リソース識別子を確定することにより、上記時間領域リソース識別子、上記周波数領域リソース識別子及び上記空間領域リソース識別子に基づいて、上記ターゲットリソースを確定することができる。
【００９４】
基地局１０は、さらに、２つのリソース識別子だけを確定することができ、例えば、時間領域リソース識別子に基づいて、空間領域リソース識別子を確定するが、周波数領域リソース識別子が空きであり、上記空きであるリソース項目は、上記基準信号が全帯域幅内で送信するか、またはプロトコル規制の周波数領域リソース位置で送信することができることを示すことを理解すべきである。本発明はこれに対して限定しない。
【００９５】
選択的に、上記リソース識別子が上記時間領域リソース識別子を含む場合、ネットワーク設備２０が、上記基準信号を伝送するためのターゲットリソースを確定することは、
ネットワーク設備２０が、
2019522403.tif 000104
という対応関係のいずれか１つに基づいて、上記基準信号を伝送するための上記周波数領域リソースを確定すること、及び/または
ネットワーク設備２０が、
2019522403.tif 000105
という対応関係のいずれか１つに基づいて、上記基準信号を伝送するための上記空間領域リソース確定することを含む。
【００９６】
ここで、
2019522403.tif 000106
は、上記時間領域リソースの上記時間領域リソース周期内のリソース番号を示し、
2019522403.tif 000107
は、上記時間領域リソース周期の番号を示し、
2019522403.tif 000108
は、上記時間領域リソースの上記時間領域リソース周期内の対応する時間帯または時点を示し、
2019522403.tif 000109
は、上記時間領域リソース識別子を示し、
2019522403.tif 000110
は、上記周波数領域リソース識別子を示し、
2019522403.tif 000111
は、上記空間領域リソース識別子を示し、
2019522403.tif 000112
は、最大周波数領域リソース識別子数を示し、
2019522403.tif 000113
は、最大空間領域リソース識別子数を示す。
【００９７】
ここで、上記時間領域リソースの時間領域リソース周期内のリソース番号
2019522403.tif 000114
は、システムフレーム番号（Ｓｙｓｔｅｍ  Ｆｒａｍｅ  Ｎｕｍｂｅｒ、ＳＦＮと略称）、サブフレーム番号、時間スロット番号等無線フレームの番号を含むことができる。本発明はこれに対して限定しない。
【００９８】
一例を挙げて説明すると、基地局１０が端末設備２０に送信する識別子指示情報には、時間領域リソース識別子を含むことができ、例えば、上記時間領域リソース識別子は、時間領域リソースの時間領域リソース周期内のリソース番号であることができる。上記リソース番号
2019522403.tif 000115
が、それの所在するシステムフレーム番号であり、しかもＳＦＮ＝１１であると仮定する場合、上記識別子指示情報は、時間領域リソース識別子を含むが、周波数領域リソース識別子を含まなく、基地局１０は、
2019522403.tif 000116
に基づいて、周波数領域リソース識別子を確定することができる。例えば、最大周波数領域リソース識別子数
2019522403.tif 000117
である場合、周波数領域リソース識別子
2019522403.tif 000118
であり、基地局１０は、ＳＦＮ＝１１及び
2019522403.tif 000119
に対応する周波数領域リソース上で基準信号を端末設備２０に送信すべきである。
【００９９】
上記識別子指示情報が時間領域リソース識別子を含むが、空間領域リソース識別子を含まない場合、基地局１０は、
2019522403.tif 000120
に基づいて、空間領域リソース識別子を確定することができる。例えば、最大空間領域リソース識別子数
2019522403.tif 000121
である場合、空間領域リソース識別子
2019522403.tif 000122
であり、基地局１０は、ＳＦＮ＝１１及び
2019522403.tif 000123
に対応する空間領域リソース上で基準信号を端末設備２０に送信すべきである。
【０１００】
もちろん、上記識別子指示情報が時間領域リソース識別子のみを含み、周波数領域リソース識別子及び空間領域リソース識別子を含まない場合、基地局１０は、
2019522403.tif 000124
に基づいて、周波数領域リソース識別子
2019522403.tif 000125
及び空間領域リソース識別子
2019522403.tif 000126
を確定することができる。
【０１０１】
また、例えば、基地局１０は、
2019522403.tif 000127
に基づいて、周波数領域リソース識別子及び空間領域リソース識別子を確定することができる。時間領域リソースの位置する周期の番号
2019522403.tif 000128
であり、最大周波数領域リソース識別子数
2019522403.tif 000129
であると仮定する場合、周波数領域リソース識別子
2019522403.tif 000130
であり、最大空間領域リソース識別子数
2019522403.tif 000131
、空間領域リソース識別子
2019522403.tif 000132
である場合、基地局１０は、
2019522403.tif 000133
に対応する時間領域リソース周期、
2019522403.tif 000134
に対応する周波数領域リソース及び
2019522403.tif 000135
に対応する空間領域リソースで基準信号を端末設備２０に送信すべきである。
【０１０２】
また、例えば、時間領域リソースの所在するある周期内特定の時点または時間帯
2019522403.tif 000136
において、基地局１０は、
2019522403.tif 000137
に基づいて、周波数領域リソース識別子及び空間領域リソース識別子を確定することができ、最大周波数領域リソース識別子数
2019522403.tif 000138
である場合、周波数領域リソース識別子
2019522403.tif 000139
であり、最大空間領域リソース識別子数
2019522403.tif 000140
である場合、空間領域リソース識別子
2019522403.tif 000141
であり、基地局１０は、
2019522403.tif 000142
に対応する時間領域リソース、
2019522403.tif 000143
に対応する周波数領域リソース及び
2019522403.tif 000144
に対応する空間領域リソース上で基準信号を端末設備２０に送信すべきである。
【０１０３】
また、例えば、リソース識別子には、時間領域リソース識別子を直接に含むことができ、時間領域リソース識別子
2019522403.tif 000145
であると仮定する場合、基地局１０は、
2019522403.tif 000146
に基づいて、周波数領域リソース識別子及び空間領域リソース識別子を確定することができ、最大周波数領域リソース識別子数
2019522403.tif 000147
である場合、周波数領域リソース識別子
2019522403.tif 000148
であり、最大空間領域リソース識別子数
2019522403.tif 000149
である場合、空間領域リソース識別子
2019522403.tif 000150
であり、基地局１０は、
2019522403.tif 000151
に対応する時間領域リソース、
2019522403.tif 000152
に対応する周波数領域リソース及び
2019522403.tif 000153
に対応する空間領域リソースで基準信号を端末設備２０に送信すべきである。
【０１０４】
選択的に、上記リソース識別子が周波数領域リソース識別子を含む場合、基地局１０が、前記基準信号を伝送するためのターゲットリソースを確定することは、
2019522403.tif 000154
に基づいて、前記基準信号を伝送するための前記時間領域リソースを確定すること、及び/または
2019522403.tif 000155
に基づいて、前記基準信号を伝送するための前記空間領域リソースを確定することを含む。
【０１０５】
ここで、
2019522403.tif 000156
は、時間領域リソース識別子を示し、
2019522403.tif 000157
は、最大時間領域リソース識別子数を示し、
2019522403.tif 000158
は、周波数領域リソース識別子を示し、
2019522403.tif 000159
は、最大空間領域リソース識別子数を示し、
2019522403.tif 000160
は、空間領域リソース識別子を示す。
【０１０６】
一例を挙げて説明すると、基地局１０が端末設備２０に送信する識別子指示情報には、周波数領域リソース識別子を含むことができる。識別子指示情報に周波数領域リソース識別子を含むが、時間領域リソース識別子を含まない場合、基地局１０は、
2019522403.tif 000161
に基づいて、時間領域リソース識別子を確定することができ、識別子指示情報に周波数領域リソース識別子が含まれるが、空間領域リソース識別子が含まれない場合、基地局１０は、
2019522403.tif 000162
に基づいて、空間領域リソース識別子を確定することができ、識別子指示情報に周波数領域リソース識別子が含まれるが、時間領域リソース識別子及び空間領域リソース識別子が含まれない場合、基地局１０は、
2019522403.tif 000163
に基づいて、同時に時間領域リソース識別子及び空間領域リソース識別子を確定することができる。周波数領域リソース識別子
2019522403.tif 000164
であると仮定する場合、基地局１０は、
2019522403.tif 000165
に基づいて、時間領域リソース識別子及び空間領域リソース識別子を確定し、最大時間領域リソース識別子数
2019522403.tif 000166
である場合、時間領域リソース識別子
2019522403.tif 000167
であり、最大空間領域リソース識別子数
2019522403.tif 000168
である場合、空間領域リソース識別子
2019522403.tif 000169
であり、基地局１０は、
2019522403.tif 000170
に対応する時間領域リソース、
2019522403.tif 000171
に対応する周波数領域リソース識別子及び
2019522403.tif 000172
に対応する空間領域リソースで基準信号を端末設備２０に送信すべきである。
【０１０７】
選択的に、上記リソース識別子が空間領域リソース識別子をさらに含むことができる場合、基地局１０が、前記基準信号を伝送するためのターゲットリソースを確定することは、
2019522403.tif 000173
に基づいて、前記基準信号を伝送するための前記時間領域リソースを確定すること、及び/または
2019522403.tif 000174
に基づいて、前記基準信号を伝送するための前記周波数領域リソースを確定することを含む。
ここで、
2019522403.tif 000175
は、時間領域リソース識別子を示し、
2019522403.tif 000176
は、最大時間領域リソース識別子数を示し、
2019522403.tif 000177
は、周波数領域リソース識別子を示し、
2019522403.tif 000178
は、最大周波数領域リソース識別子数を示し、
2019522403.tif 000179
は、空間領域リソース識別子を示す。
【０１０８】
一例を挙げて説明すると、基地局１０が端末設備２０に送信するリソース指示情報が、空間領域リソース識別子をさらに含むが、周波数領域リソース識別子及び/または周波数領域リソース識別子を含まないことができる。空間領域リソース識別子
2019522403.tif 000180
と仮定する場合、基地局１０は、
2019522403.tif 000181
に基づいて、時間領域リソース識別子及び周波数領域リソース識別子を確定することができ、最大時間領域リソース識別子数
2019522403.tif 000182
である場合、時間領域リソース識別子
2019522403.tif 000183
であり、最大周波数領域リソース識別子数
2019522403.tif 000184
である場合、周波数領域リソース識別子
2019522403.tif 000185
であり、基地局１０は、
2019522403.tif 000186
に対応する時間領域リソース、
2019522403.tif 000187
に対応する周波数領域リソース及び
2019522403.tif 000188
に対応する空間領域リソースで基準信号を端末設備２０に送信する。
【０１０９】
上記リソース識別子のいずれもと他のリソース識別子との間の対応関係は、プロトコルにおいて規定されてもよく、または基地局１０によって確定し、端末設備２０に通知されてもよいことを理解すべきである。
【０１１０】
上記したプロトコルによって規定されるかまたは基地局１０によって確定したいずれかのリソース識別子と他のリソース識別子との間の対応関係には、各リソース識別子の間の明示的な対応関係をさらに含むことができることをさらに理解すべきである。本発明はこれに対して限定しない。
【０１１１】
選択的に、基地局１０が、上記指示情報を端末設備２０に送信することは、
基地局１０が、上位層シグナリング、物理層シグナリングまたは媒体アクセス制御（ＭＡＣ）層の通知にベアリングされる上記指示メッセージを端末設備２０に送信することを含む。
【０１１２】
具体的に、基地局１０が上位層シグナリングを移動端末２０に送信し、上記上位層シグナリングに含まれるリソース指示情報または識別子指示情報によって、上記基準信号を伝送するためのターゲットリソースを明示的にまたは黙示的に指示することができ、例えば、上記ターゲットリソースを指示するリソース指示情報またはリソース識別子を指示する識別子指示情報をプライマリ情報ブロックに含ませるか、または上記リソース指示情報または上記識別子指示情報をシステム情報ブロックに含ませることができ、基地局１０は、また、物理層シグナリングを移動端末２０に送信し、上記物理層シグナリングに含まれるリソース指示情報または識別子指示情報によって、上記ターゲットリソースを明示的にまたは黙示的に指示することができ、例えば、物理層の制御チャネルに上記リソース指示情報または上記識別子指示情報を含ませるか、または上記リソース指示情報または上記識別子指示情報を送信するために１つの専用の物理チャネルを確定することができ、また、基地局１０は、媒体アクセス制御（Ｍｅｄｉａ  Ａｃｃｅｓｓ  Ｃｏｎｔｒｏｌ、ＭＡＣと略称）層の通知を移動端末２０に送信し、ＭＡＣ層の通知に含まれる上記リソース指示情報または上記識別子指示情報によって、端末設備２０の上記基準信号を受信するためのターゲットリソースに通知することができる。
【０１１３】
２０３において、端末設備２０は、上記基準信号を伝送するためのターゲットリソースを確定する。
【０１１４】
ここで、端末設備２０が、基準信号を送信するためのターゲットリソースを確定することは、端末設備２０が基準チャネルを伝送するためのターゲットリソースを確定することと呼ばれることもできる。
【０１１５】
具体的に、端末設備２０は、基地局１０の送信した指示情報を受信した後、上記指示情報に基づいて、直接に基準信号のリソース位置を取得するか、または指示情報に基づいて、リソース識別子を取得し、上記リソース識別子に基づいて、それに対応するターゲットリソースの位置を確定することができる。端末設備２０は、上記基準信号を伝送するためのターゲットリソースを確定した後、上記ターゲットリソース上で基地局１０の送信した基準信号を受信することができる。信号を復調して処理することにより、上記基準信号を利用してチャネル推定またはチャネル検出を行う。
【０１１６】
端末設備２０は、指示ターゲットリソースのリソース指示情報を受信した場合、上記リソース指示情報の指示されたターゲットリソース上で基地局１０からの基準信号を直接に受信し、端末設備２０は、リソース識別子を指示する識別子指示情報を受信した場合、上記識別子指示情報内のリソース識別子に基づいて、ターゲットリソースを確定し、例えば、上記リソース識別子、及び上記リソース識別子と他のリソース識別子との間の関係に基づいて、他のリソース識別子を確定することにより、上記ターゲットリソースを取得することを理解すべきである。
【０１１７】
端末設備２０は、リソース識別子を取得した後、リソース識別子とターゲットリソースとの対応関係に基づいて、上記リソース識別子に対応するターゲットリソースを確定する必要がある。ここで、上記リソース識別子とターゲットリソースとの対応関係は、端末設備２０がプロトコルに応じて取得したものであってもよく、基地局１０が端末設備２０に送信したものであってもよいし、例えば、ブロードキャストの方法によって、カバレッジ内の複数の端末設備に上記対応関係的情報を送信したり、または端末設備２０にのみ上記対応関係の情報を送信したりして、例えば、表１ないし表４のうちの少なくとも１つの対応関係を送信する者であることができることをさらに理解すべきである。
【０１１８】
選択的に、端末設備２０は、
2019522403.tif 000189
という対応関係のいずれか１つに基づいて、前記基準信号を伝送するための周波数領域リソースを確定し、及び/または
2019522403.tif 000190
という対応関係のいずれか１つに基づいて、前記基準信号を伝送するための前記空間領域リソースを確定することができる。
【０１１９】
選択的に、端末設備２０は、
2019522403.tif 000191
に基づいて、前記基準信号を伝送するための前記時間領域リソースを確定し、及び/または
2019522403.tif 000192
に基づいて、前記基準信号を伝送するための前記空間領域リソースを確定することができる。
【０１２０】
選択的に、端末設備２０は、
2019522403.tif 000193
に基づいて、前記基準信号を伝送するための前記時間領域リソース識別子を確定し、及び/または
2019522403.tif 000194
に基づいて、前記基準信号を伝送するための前記周波数領域リソース識別子を確定することができる。
【０１２１】
端末設備２０が、リソース識別子に基づいて、上記ターゲットリソースのプロセスを確定するプロセスは、具体的には、基地局１０がターゲットリソースを確定するプロセスを参照することができることを留意すべきであり、簡潔にするために、詳細についてはここで再び説明しない。
【０１２２】
２０４において、基地局１０は、上記ターゲットリソースで基準信号を端末設備２０に送信する。
【０１２３】
ここで、基地局１０が上記ターゲットリソース上で基準信号を端末設備２０に送信することは、基地局１０が上記ターゲットリソース上で基準チャネルを端末設備２０に送信することとも呼ばれる。
【０１２４】
具体的に、基地局１０は、ターゲットリソースを確定した後、上記ターゲットリソース上で上記基準信号または上記基準信号に対応する基準チャネルを端末設備２０に送信し、対応的に、端末設備２０は、基地局１０からの指示情報に基づいて、ターゲットリソースを確定した後、上記ターゲットリソース上で基地局１０からの基準信号を受信する。
【０１２５】
２０４は、２０２の前に実行してもよく、即ち、基地局１０は、先に端末設備２０に基準信号を送信してから、指示情報を送信してもよく、本発明はこれに対して限定しないことを理解すべきである。
【０１２６】
選択的に、上記ターゲットリソースが変更された場合、上記方法は、２０５をさらに含むことができる。
【０１２７】
２０５において、基地局１０は、ページングメッセージを端末設備２０に送信する。
【０１２８】
ここで、上記ページングメッセージは、変更後のターゲットリソースの情報または上記ターゲットリソースが変更されたことを指示するための指示メッセージを含むことができる。
【０１２９】
言い換えれば、上記基準信号のターゲットリソースは、確定されるものであってもよく、ネットワーク条件等によっていつでも調整されるものであってもよい。上記ターゲットリソースの位置に対して変更を行う場合、基地局１０は、ターゲットリソースが変更されたことを指示するページングメッセージを端末設備２０に送信する。
【０１３０】
上記ページングメッセージは、変更後のターゲットリソースの位置情報のようなリソース構成情報を直接に含ませることができ、端末設備２０が上記ページングメッセージを受信した後には、直接に上記ページングメッセージに含まれるリソース構成上で基準信号を受信する。上記ページングメッセージにも上記ターゲットリソースが変更されたことを指示するための指示メッセージを含ませることができ、端末設備２０は、上記ページングメッセージを受信した後、プライマリ情報ブロックまたは特定のシステム情報ブロックを読み取ることによって、上記ターゲットリソースを取得することができる。
【０１３１】
選択的に、基地局１０がページングメッセージを端末設備２０に送信することができることは、
基地局１０が、上位層シグナリング、物理層シグナリングまたはＭＡＣ層通知にベアリングされた上記ページングメッセージを端末設備２０に送信することを含む。
【０１３２】
本発明の各種の実施例において、前記各プロセスの番号の大きさは、実行手順の前後を意味するものではなく、各プロセスの実行手順は、その機能及び内在的な論理によって確定されるべきであり、本発明の実施例の実施プロセスに対して制限してはいけないことを理解すべきである。
【０１３３】
以上は、本発明の実施例の基準信号の伝送方法について詳細に説明したが、以下は、本発明の実施例のネットワーク設備及び端末設備について説明する。本発明の実施例のネットワーク設備及び端末設備は、前記本発明の実施例の各種の方法を実行するように構成されることができ、即ち、以下の各種の設備の具体的な動作プロセスは、前記方法の実施例内の対応プロセスを参照することができる。
【０１３４】
図３は、本発明の実施例のネットワーク設備３００の模式的なブロック図を示す。図３に示されたように、上記ネットワーク設備３００は、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含む確定モジュール３０１と、
前記確定モジュール３０１によって確定された前記ターゲットリソースで前記基準信号を端末設備に送信するように構成される送信モジュール３０２を含む。
【０１３５】
選択的に、前記確定モジュール３０１は、具体的に、
セル識別子またはビーム識別子を含む基準識別子を確定するように構成され、
前記基準識別子、及び前記基準識別子とリソース識別子との間の対応関係に基づいて、前記基準信号を伝送するためのターゲットリソースを確定し、前記リソース識別子と前記ターゲットリソースとは１対１で対応する。
【０１３６】
選択的に、前記基準識別子と前記リソース識別子との間の対応関係包括
2019522403.tif 000195
、ここで、前記
2019522403.tif 000196
は、前記リソース識別子を示し、前記
2019522403.tif 000197
は、前記セル識別子を示し、前記
2019522403.tif 000198
は、前記ビーム識別子を示し、前記
2019522403.tif 000199
は、最大リソース識別子数を示す。
【０１３７】
選択的に、前記送信モジュール３０２は、さらに、
前記ターゲットリソースを指示するためのリソース指示情報を含む指示情報を前記端末設備に送信するように構成される。
【０１３８】
選択的に、前記送信モジュール３０２は、さらに、
リソース識別子を指示するための識別子指示情報を含む指示情報を前記端末設備に送信するように構成され、前記リソース識別子と前記ターゲットリソースとは１対１で対応する。
【０１３９】
選択的に、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【０１４０】
選択的に、前記リソース識別子が時間領域リソース識別子を含む場合、前記確定モジュール３０１は、具体的に、
2019522403.tif 000200
という対応関係のいずれか１つに基づいて、前記基準信号を伝送するための前記周波数領域リソースを確定し、及び/または
2019522403.tif 000201
という対応関係のいずれか１つに基づいて、前記基準信号を伝送するための前記空間領域リソースを確定するように構成され、
ここで、前記
2019522403.tif 000202
は、前記時間領域リソースの時間領域リソース周期内のリソース番号を示し、前記
2019522403.tif 000203
は、前記時間領域リソース周期の番号を示し、前記
2019522403.tif 000204
は、前記時間領域リソースの前記時間領域リソース周期内の対応する時間帯または時点を示し、前記
2019522403.tif 000205
は、前記時間領域リソース識別子を示し、前記
2019522403.tif 000206
は、周波数領域リソース識別子を示し、前記
2019522403.tif 000207
は、空間領域リソース識別子を示し、前記
2019522403.tif 000208
は、最大周波数領域リソース識別子数を示し、前記
2019522403.tif 000209
は、最大空間領域リソース識別子数を示す。
【０１４１】
選択的に、前記リソース識別子が周波数領域リソース識別子を含む場合、前記確定モジュール３０１は、具体的に、
2019522403.tif 000210
に基づいて、前記基準信号を伝送するための前記時間領域リソースを確定し、及び/または
2019522403.tif 000211
に基づいて、前記基準信号を伝送するための前記空間領域リソースを確定するように構成され、
ここで、前記
2019522403.tif 000212
は、時間領域リソース識別子を示し、前記
2019522403.tif 000213
は、最大時間領域リソース識別子数を示し、前記
2019522403.tif 000214
は、前記周波数領域リソース識別子を示し、前記
2019522403.tif 000215
は、最大空間領域リソース識別子数を示し、前記
2019522403.tif 000216
は、空間領域リソース識別子を示す。
【０１４２】
選択的に、前記リソース識別子が空間領域リソース識別子を含む場合、前記確定モジュール３０１は、具体的に、
2019522403.tif 000217
に基づいて、前記基準信号を伝送するための前記時間領域リソースを確定し、及び/または
2019522403.tif 000218
に基づいて、前記基準信号を伝送するための前記周波数領域リソースを確定するように構成され、
ここで、前記
2019522403.tif 000219
は、時間領域リソース識別子を示し、前記
2019522403.tif 000220
は、最大時間領域リソース識別子数を示し、前記
2019522403.tif 000221
は、周波数領域リソース識別子を示し、前記
2019522403.tif 000222
は、最大周波数領域リソース識別子数を示し、前記
2019522403.tif 000223
は、前記空間領域リソース識別子を示す。
【０１４３】
選択的に、前記送信モジュール３０２は、具体的に、
上位層シグナリング、物理層シグナリングまたは媒体アクセス制御（ＭＡＣ）層の通知にベアリングされる前記指示メッセージを前記端末設備に送信するように構成される。
【０１４４】
本発明の実施例において、確定モジュール３０１はプロセッサによって実現され、送信モジュール３０２は送信機によって実現されることができることを理解すべきである。図４に示されたように、ネットワーク設備４００は、プロセッサ４０１、受信機４０２、送信機４０３及びメモリ４０４を含むことができる。ここで、メモリ４０４は、基準信号の位置情報、リソース識別子等を記憶するように構成され、プロセッサ４０１によって実行されたコード等をさらに記憶するように構成されることができる。ネットワーク設備４００の各コンポーネントは、データバスに加えて、さらに電力バス、制御バス及びステータス信号バスをさらに含むバスシステム４０５によって一緒にカップリングされる。ここで、プロセッサ４０１は、具体的に、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含み、
送信機４０３は、前記確定モジュールによって確定された前記ターゲットリソースで、前記基準信号を端末設備に送信するように構成される。
【０１４５】
選択的に、前記プロセッサ４０１は、具体的に、
セル識別子またはビーム識別子を含む基準識別子を確定するように構成され、
前記基準識別子、及び前記基準識別子とリソース識別子との間の対応関係に基づいて、前記基準信号を伝送するためのターゲットリソースを確定し、前記リソース識別子と前記ターゲットリソースとは１対１で対応する。
【０１４６】
選択的に、前記基準識別子と前記リソース識別子との間の対応関係は、
2019522403.tif 000224
を含み、ここで、前記
2019522403.tif 000225
は、前記リソース識別子を示し、前記
2019522403.tif 000226
は、前記セル識別子を示し、前記
2019522403.tif 000227
は、前記ビーム識別子を示し、前記
2019522403.tif 000228
は、最大リソース識別子数を示す。
【０１４７】
選択的に、前記送信機４０３は、さらに、
前記ターゲットリソースを指示するためのリソース指示情報を含む指示情報を前記端末設備に送信するように構成される。
選択的に、前記送信機４０３は、さらに、
リソース識別子を指示するための識別子指示情報を含む指示情報を前記端末設備に送信するように構成され、前記リソース識別子と前記ターゲットリソースとは１対１で対応する。
【０１４８】
選択的に、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【０１４９】
選択的に、前記リソース識別子が時間領域リソース識別子を含む場合、前記プロセッサ４０１は、具体的に、
2019522403.tif 000229
という対応関係のいずれか１つに基づいて、前記基準信号を伝送するための前記周波数領域リソースを確定し、及び/または
2019522403.tif 000230
という対応関係のいずれか１つに基づいて、前記基準信号を伝送するための前記空間領域リソースを確定するように構成され、
ここで、前記
2019522403.tif 000231
は、前記時間領域リソースの時間領域リソース周期内のリソース番号を示し、前記
2019522403.tif 000232
は、前記時間領域リソース周期の番号を示し、前記
2019522403.tif 000233
は、前記時間領域リソースの前記時間領域リソース周期内の対応する時間帯または時点を示し、前記
2019522403.tif 000234
は、前記時間領域リソース識別子を示し、前記
2019522403.tif 000235
は、周波数領域リソース識別子を示し、前記
2019522403.tif 000236
は、空間領域リソース識別子を示し、前記
2019522403.tif 000237
は、最大周波数領域リソース識別子数を示し、前記
2019522403.tif 000238
は、最大空間領域リソース識別子数を示す。
【０１５０】
選択的に、前記リソース識別子が周波数領域リソース識別子を含む場合、前記プロセッサ４０１は、具体的に、
2019522403.tif 000239
に基づいて、前記基準信号を伝送するための前記時間領域リソースを確定し、及び/または
2019522403.tif 000240
に基づいて、前記基準信号を伝送するための前記空間領域リソースを確定するように構成され、
ここで、前記
2019522403.tif 000241
は、時間領域リソース識別子を示し、前記
2019522403.tif 000242
は、最大時間領域リソース識別子数を示し、前記
2019522403.tif 000243
は、前記周波数領域リソース識別子を示し、前記
2019522403.tif 000244
は、最大空間領域リソース識別子数を示し、前記
2019522403.tif 000245
は、空間領域リソース識別子を示す。
【０１５１】
選択的に、前記リソース識別子が空間領域リソース識別子を含む場合、前記プロセッサ４０１は、具体的に、
2019522403.tif 000246
に基づいて、前記基準信号を伝送するための前記時間領域リソースを確定し、及び/または
2019522403.tif 000247
に基づいて、前記基準信号を伝送するための前記周波数領域リソースを確定するように構成され、
ここで、前記
2019522403.tif 000248
は、時間領域リソース識別子を示し、前記
2019522403.tif 000249
は、最大時間領域リソース識別子数を示し、前記
2019522403.tif 000250
は、周波数領域リソース識別子を示し、前記
2019522403.tif 000251
は、最大周波数領域リソース識別子数を示し、前記
2019522403.tif 000252
は、前記空間領域リソース識別子を示す。
【０１５２】
選択的に、前記送信機４０３は、具体的に、
上位層シグナリング、物理層シグナリングまたは媒体アクセス制御（ＭＡＣ）層の通知にベアリングされる前記指示メッセージを前記端末設備に送信するように構成される。
【０１５３】
図５は、本発明の実施例のシステムチップの１つ模式的な構造図である。図１０のシステムチップ５００は、入力インタフェース５０１、出力インタフェース５０２、少なくとも１つのプロセッサ５０３、メモリ５０４を含み、前記入力インタフェース５０１と、出力インタフェース５０２と、前記プロセッサ５０３及びメモリ５０４との間は、バス５０５によって繋がれ、前記プロセッサ５０３は、前記メモリ５０４内のコードを実行するためであり、前記コードが実行される時、前記プロセッサ５０３は、図２における基地局１０または端末設備２０によって実行される方法を実現することができる。
【０１５４】
図３に示されたネットワーク設備３００または図４に示されたネットワーク設備４００または図５に示されたシステムチップ５００は、前記図２における方法実施例における基地局１０または端末設備２０によって実現された各プロセスを実現することができ、繰り返しを避けるため、ここでは説明を省略する。
【０１５５】
図６は、本発明の実施例の端末設備６００の模式的なブロック図を示す。図６に示されたように、上記ネットワーク設備６００は、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含む確定モジュール６０１と、
前記確定モジュール６０１によって確定された前記ターゲットリソースでネットワーク設備からの前記基準信号を受信するように構成される受信モジュール６０２を含む。
【０１５６】
選択的に、前記確定モジュール６０１は、具体的に、
セル識別子またはビーム識別子を含む基準識別子を確定するように構成され、
前記基準識別子、及び前記基準識別子とリソース識別子との間の対応関係に基づいて、前記基準信号を伝送するためのターゲットリソースを確定し、前記リソース識別子と前記ターゲットリソースとは１対１で対応する。
【０１５７】
選択的に、前記基準識別子と前記リソース識別子との間の対応関係は、
2019522403.tif 000253
を含み、ここで、前記
2019522403.tif 000254
は、前記リソース識別子を示し、前記
2019522403.tif 000255
は、前記セル識別子を示し、前記
2019522403.tif 000256
は、前記ビーム識別子を示し、前記
2019522403.tif 000257
は、最大リソース識別子数を示す。
【０１５８】
選択的に、前記受信モジュール６０２は、さらに、
前記ネットワーク設備からの、前記ターゲットリソースを指示するためのリソース指示情報を含む指示情報を受信するように構成される。
【０１５９】
選択的に、前記受信モジュール６０２は、さらに、
前記ネットワーク設備からの、リソース識別子を指示するための識別子指示情報を含む指示情報を受信するように構成され、
前記確定モジュールは、さらに、前記識別子指示情報に基づいて、前記リソース識別子と１対１で対応する前記ターゲットリソースを確定するように構成される。
【０１６０】
選択的に、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【０１６１】
選択的に、前記リソース識別子が前記時間領域リソース識別子を含む場合、前記確定モジュール６０１は、具体的に、
2019522403.tif 000258
という対応関係のいずれか１つに基づいて、前記基準信号を伝送するための前記周波数領域リソースを確定し、及び/または
2019522403.tif 000259
という対応関係のいずれか１つに基づいて、前記基準信号を伝送するための前記空間領域リソースを確定するように構成される、
ここで、前記
2019522403.tif 000260
は、前記時間領域リソースの時間領域リソース周期内のリソース番号を示し、前記
2019522403.tif 000261
は、前記時間領域リソース周期の番号を示し、前記
2019522403.tif 000262
は、前記時間領域リソースの前記時間領域リソース周期内の対応する時間帯または時点を示し、前記
2019522403.tif 000263
は、前記時間領域リソース識別子を示し、前記
2019522403.tif 000264
は、周波数領域リソース識別子を示し、前記
2019522403.tif 000265
は、空間領域リソース識別子を示し、前記
2019522403.tif 000266
は、最大周波数領域リソース識別子数を示し、前記
2019522403.tif 000267
は、最大空間領域リソース識別子数を示す。
【０１６２】
選択的に、前記リソース識別子が周波数領域リソース識別子を含む場合、前記確定モジュール６０１は、具体的に、
2019522403.tif 000268
に基づいて、前記基準信号を伝送するための前記時間領域リソースを確定し、及び/または
2019522403.tif 000269
に基づいて、前記基準信号を伝送するための前記空間領域リソースを確定することように構成され、
ここで、前記
2019522403.tif 000270
は、時間領域リソース識別子を示し、前記
2019522403.tif 000271
は、最大時間領域リソース識別子数を示し、前記
2019522403.tif 000272
は、前記周波数領域リソース識別子を示し、前記
2019522403.tif 000273
は、最大空間領域リソース識別子数を示し、前記
2019522403.tif 000274
は、空間領域リソース識別子を示す。
【０１６３】
選択的に、前記リソース識別子が空間領域リソース識別子を含む場合、前記確定モジュール６０１は、具体的に、
2019522403.tif 000275
に基づいて、前記基準信号を伝送するための前記時間領域リソースを確定し、及び/または
2019522403.tif 000276
に基づいて、前記基準信号を伝送するための前記周波数領域リソースを確定するように構成され、
ここで、前記
2019522403.tif 000277
は、時間領域リソース識別子を示し、前記
2019522403.tif 000278
は、最大時間領域リソース識別子数を示し、前記
2019522403.tif 000279
は、周波数領域リソース識別子を示し、前記
2019522403.tif 000280
は、最大周波数領域リソース識別子数を示し、前記
2019522403.tif 000281
は、前記空間領域リソース識別子を示す。
【０１６４】
選択的に、前記受信モジュール６０２は、具体的に、
前記ネットワーク設備からの、上位層シグナリング、物理層シグナリングまたは媒体アクセス制御（ＭＡＣ）層の通知にベアリングされる前記指示メッセージを受信するように構成される。
【０１６５】
選択的に、前記受信モジュール６０２は、さらに、
前記ターゲットリソースが変更された場合、前記ネットワーク設備からの、変更後の前記ターゲットリソースの情報または前記ターゲットリソースが変更されたことを指示するための指示メッセージを含むページングメッセージを受信するように構成される。
【０１６６】
本発明の実施例において、受信モジュール６０２は受信機によって実現され、確定モジュール６０１はプロセッサによって実現されることができることを理解すべきである。図７に示されたように、端末設備７００は、プロセッサ７０１、受信機７０２、送信機７０３及びメモリ７０４を含むことができる。ここで、メモリ７０４は、基準信号の位置情報、リソース識別子等を記憶するように構成され、プロセッサ４０１によって実行されたコード等をさらに記憶するように構成されることができる。プロセッサ７０１は、メモリ７０４によって記憶されたコードを実行するように構成される。端末設備７００における各コンポーネントは、データバスに加えて、電力バス、制御バス及びステータス信号バスをさらに含むバスシステム７０５によって一緒に結合され、ここで、前記プロセッサ７０１は、具体的に、
前記基準信号を伝送するためのターゲットリソースを確定するように構成され、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含み、
受信機７０２は、前記確定モジュールによって確定された前記ターゲットリソースでネットワーク設備からの前記基準信号を受信するように構成される。
【０１６７】
選択的に、前記プロセッサ７０１は、具体的に、
セル識別子またはビーム識別子を含む基準識別子を確定するように構成され、
前記基準識別子、及び前記基準識別子とリソース識別子との間の対応関係に基づいて、前記基準信号を伝送するためのターゲットリソースを確定し、前記リソース識別子と前記ターゲットリソースとは１対１で対応する。
【０１６８】
選択的に、前記基準識別子と前記リソース識別子との間の対応関係は、
2019522403.tif 000282
を含み、ここで、前記
2019522403.tif 000283
は、前記リソース識別子を示し、前記
2019522403.tif 000284
は、前記セル識別子を示し、前記
2019522403.tif 000285
は、前記ビーム識別子を示し、前記
2019522403.tif 000286
は、最大リソース識別子数を示す。
【０１６９】
選択的に、前記受信機７０２は、さらに、
前記ネットワーク設備からの、前記ターゲットリソースを指示するためのリソース指示情報を含む指示情報を受信するように構成される。
【０１７０】
選択的に、前記受信機７０２は、さらに、
前記ネットワーク設備からの、リソース識別子を指示するための識別子指示情報を含む指示情報を受信するように構成され、
前記プロセッサ７０１は、さらに、前記識別子指示情報に基づいて、前記リソース識別子と１対１で対応する前記ターゲットリソースを確定するように構成される。
選択的に、前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含む。
【０１７１】
選択的に、前記リソース識別子が前記時間領域リソース識別子を含む場合、前記プロセッサ７０１は、具体的に、
2019522403.tif 000287
という対応関係のいずれか１つに基づいて、前記基準信号を伝送するための周波数領域リソースを確定し、及び/または
2019522403.tif 000288
という対応関係のいずれか１つに基づいて、前記基準信号を伝送するための前記空間領域リソースを確定するように構成され、
ここで、前記
2019522403.tif 000289
は、前記時間領域リソースの時間領域リソース周期内のリソース番号を示し、前記
2019522403.tif 000290
は、前記時間領域リソース周期の番号を示し、前記
2019522403.tif 000291
は、前記時間領域リソースの前記時間領域リソース周期内の対応する時間帯または時点を示し、前記
2019522403.tif 000292
は、前記時間領域リソース識別子を示し、前記
2019522403.tif 000293
は、周波数領域リソース識別子を示し、前記
2019522403.tif 000294
は、空間領域リソース識別子を示し、前記
2019522403.tif 000295
は、最大周波数領域リソース識別子数を示し、前記
2019522403.tif 000296
は、最大空間領域リソース識別子数を示す。
【０１７２】
選択的に、前記リソース識別子が周波数領域リソース識別子を含む場合、前記プロセッサ７０１は、具体的に、
2019522403.tif 000297
に基づいて、前記基準信号を伝送するための前記時間領域リソースを確定し、及び/または
2019522403.tif 000298
に基づいて、前記基準信号を伝送するための前記空間領域リソースを確定するように構成され、
ここで、前記
2019522403.tif 000299
は、時間領域リソース識別子を示し、前記
2019522403.tif 000300
は、最大時間領域リソース識別子数を示し、前記
2019522403.tif 000301
は、前記周波数領域リソース識別子を示し、前記
2019522403.tif 000302
は、最大空間領域リソース識別子数を示し、前記
2019522403.tif 000303
は、空間領域リソース識別子を示す。
【０１７３】
選択的に、前記リソース識別子が空間領域リソース識別子を含む場合、前記プロセッサ７０１は、具体的に、
2019522403.tif 000304
に基づいて、前記基準信号を伝送するための前記時間領域リソースを確定し、及び/または
2019522403.tif 000305
に基づいて、前記基準信号を伝送するための前記周波数領域リソースを確定するように構成され、
ここで、前記
2019522403.tif 000306
は、時間領域リソース識別子を示し、前記
2019522403.tif 000307
は、最大時間領域リソース識別子数を示し、前記
2019522403.tif 000308
は、周波数領域リソース識別子を示し、前記
2019522403.tif 000309
は、最大周波数領域リソース識別子数を示し、前記
2019522403.tif 000310
は、前記空間領域リソース識別子を示す。
【０１７４】
選択的に、前記受信機７０２は、具体的に、
前記ネットワーク設備からの、上位層シグナリング、物理層シグナリングまたは媒体アクセス制御（ＭＡＣ）層の通知にベアリングされる前記指示メッセージを受信するように構成される。
【０１７５】
選択的に、前記受信機７０２は、さらに、
前記ターゲットリソースが変更された場合、前記ネットワーク設備からの、変更後の前記ターゲットリソースの情報または前記ターゲットリソースが変更されたことを指示するための指示メッセージを含むページングメッセージを受信するように構成される。
図８は、本発明の実施例のシステムチップの他の模式的な構造図である。図８のシステムチップ８００は、入力インタフェース８０１、出力インタフェース８０２、少なくとも１つのプロセッサ８０３、メモリ８０４を含み、前記入力インタフェース８０１と、出力インタフェース８０２と、前記プロセッサ８０３及びメモリ８０４との間は、バス８０５によって繋がれ、前記プロセッサ８０３は、前記メモリ８０４のコードを実行するためであり、前記コードが実行される時、前記プロセッサ８０３は、図２の基地局１０によって実行される方法を実現することができる。
【０１７６】
図６に示された端末設備６００または図７に示された端末設備７０または図８に示されたシステムチップ８００は、前記図２における方法実施例における端末設備２０によって実現された各プロセスを実現することができ、繰り返しを避けるため、ここでは説明を省略する。
【０１７７】
本発明の実施例におけるプロセッサは、信号の処理能力を有する集積回路チップであってもよいことを理解することができる。プロセスの実現において、前記実施例による方法における各ステップは、プロセッサのハードウェアの集積論理回路またはソフトウェアの形態の命令によって完成される。上記したプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰと略称）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称）、現場でプログラム可能なゲートアレイ（Ｆｉｅｌｄ  Ｐｒｏｇｒａｍｍａｂｌｅ  Ｇａｔｅ  Ａｒｒａｙ、ＦＰＧＡと略称）または他のプログラマブルロジックデバイス、離散ゲートまたはトランジスタロジックデバイス、離散ハードウェアコンポーネントであってもよい。本発明の実施例により開示された各方法、ステップ及び論理ブロック図を実現するか、または実行することができる。汎用プロセッサは、マイクロプロセッサであってもよく、または上記プロセッサは任意の従来のプロセッサ等であってもよい。本発明の実施例により開示された方法のステップは、直接にハードウェア復号化プロセッサで具現されて実行されることができ、または復号化プロセッサのハードウェア及びソフトウェアモジュールの組み合わせによって実行されることもできる。ソフトウェアモジュールは、ランダムメモリ、フラッシュメモリ、読取専用メモリ、プログラマブル読取専用メモリまたは電気的消去可能プログラマブルメモリ、レジスタ等本分野における従来の記憶媒体に構成されてもよい。上記記憶媒体は、メモリに配置され、プロセッサは、メモリの情報を読み取って、そのハードウェアに合わせて前記方法のステップを実行する。
【０１７８】
本発明の実施例によるメモリは、揮発性メモリまたは非揮発性メモリであってもよく、または揮発性及び非揮発性メモリの両方を含んでもよいことを理解することができる。ここで、非揮発性メモリは、読取専用メモリ（Ｒｅａｄ-Ｏｎｌｙ  Ｍｅｍｏｒｙ、ＲＯＭと略称）、プログラマブル読取専用メモリ（Ｐｒｏｇｒａｍｍａｂｌｅ  ＲＯＭ、ＰＲＯＭと略称）、消去可能プログラマブル読取専用メモリ（Ｅｒａｓａｂｌｅ  ＰＲＯＭ、ＥＰＲＯＭと略称）、電気的消去可能プログラマブル読取専用メモリ（Ｅｌｅｃｔｒｉｃａｌｌｙ  ＥＰＲＯＭ、ＥＥＰＲＯＭと略称）またはフラッシュメモリであってもよい。揮発性メモリは、外部キャッシュに用いられるランダムアクセスメモリ（Ｒａｎｄｏｍ  Ａｃｃｅｓｓ  Ｍｅｍｏｒｙ、ＲＡＭと略称）であってもよい。例示的だが限定ではない説明を通じて、例えば、スタティックランダムアクセスメモリ（Ｓｔａｔｉｃ  ＲＡＭ、ＳＲＡＭと略称）、ダイナミックランダムアクセスメモリ（Ｄｙｎａｍｉｃ  ＲＡＭ、ＤＲＡＭと略称）、同期ダイナミックランダムアクセスメモリ（Ｓｙｎｃｈｒｏｎｏｕｓ  ＤＲＡＭ、ＳＤＲＡＭと略称）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭと略称）、エンハンスト同期ダイナミックランダムアクセスメモリ（Ｅｎｈａｎｃｅｄ  ＳＤＲＡＭ、ＥＳＤＲＡＭと略称）、同期接続ダイナミックランダムアクセスメモリ（Ｓｙｎｃｈｌｉｎｋ  ＤＲＡＭ、ＳＬＤＲＡＭと略称）及びダイレクトメモリバスランダムアクセスメモリ（Ｄｉｒｅｃｔ  Ｒａｍｂｕｓ  ＲＡＭ、ＤＲ  ＲＡＭと略称）等の様々な形態のＲＡＭを使用することができる。本明細書に記述されたシステムと方法のメモリは、これらといずれか他の形態のメモリを含むが、これに限定しないことを理解することができる。
【０１７９】
なお、本明細書に記載された「システム」及び「ネットワーク」という用語は、本明細書では常に交換可能に使用されることを理解すべきである。本明細書における「及び/または」という用語は、Ａ及び/またはＢは、Ａが独立的に存在し、ＡとＢが同時に存在し、Ｂが独立的に存在する等のような三種類の関係が存在する単なる関連オブジェクトの関連の関係を説明することを示すことができる。なお、本明細書の文字「/」は、一般的に前後の関連オブジェクトが「または」の関係であることを示す。
【０１８０】
本発明の実施例において、「Ａに対応するＢ」は、ＢとＡとがお互いに関連し、Ａに基づいてＢを確定することができるということを示していることを理解すべきである。しかし、Ａに基づいてＢを確定することは、単にＡに基づいてＢを確定するということを意味することではなく、Ａ及び/または他の情報に基づいてＢを確定することもできることを更に理解すべきである。
【０１８１】
当業者であれば、本明細書に開示された実施例に合わせて記載された各示例のユニット及びアルゴリズムステップを、電子ハードウェア、またはコンピュータソフトウェアと電子ハードウェアとの組み合わせによって実現することができることは分かるはずである。これらの機能がハードウェアで実行されるかソフトウェアで実行されるかは、技術的解決策の特定の応用と設計上の制約条件によって決定される。専門技術者は、特定の応用ごとに対して異なる方法を使用して説明された機能を実現することができるが、そのような実現は本発明の範囲を超えると見なされるべきではない。
【０１８２】
当業者であれば、記述の便宜上および簡潔にするため、前記記述されたシステム、装置及びユニットの具体的な動作プロセスは、前述方法実施例の対応プロセスを参照することができ、ここでは再び説明されないことを明確に理解することができる。
【０１８３】
本明細書に提供されたいくつの実施例において、開示されたシステム、装置と方法は、他の態様で実現されることができることを理解すべきである。例えば、上記の記述した実施例による装置は、単なる模式的なものであり、例えば、前記ユニットの分割は、単なる論理的な機能の分割であり、実際に実現する場合は他の分割方法があってもよいし、例えば、複数のユニットまたは構成要素を組み合わせたり、または他のシステムに集積したりすることもでき、または一部の特徴を無視するか、または実行しないことも可能である。なお、表示または議論した相互間のカップリングまたは直接なカップリングまたは通信接続は、いくつかのインタフェース、装置またはユニットの間接なカップリングまたは通信接続であってもよく、電気的、機械的または他の形態の接続であってもよい。
【０１８４】
前記分割部材として記述したユニットは、物理的に分離されたものであってもよく、または物理的に分離されたものではなくてもよく、ユニット表示の部材としては、物理ユニットであってもなくてもよい。即ち、ある場所に位置したり、または複数のネットワークユニット上に分布されたりすることもできる。実際の必要性に応じて、ユニットの一部または全部を選択して本発明の実施例の方案の目的を実現することができる。
【０１８５】
なお、本発明の各実施例の各機能ユニットは、１つの処理ユニットに集積されてもよく、各ユニットが別々に存在してもよいし、２つまたはそれ以上のユニットを１つのユニットに集積させてもよい。
【０１８６】
前記機能は、ソフトウェア機能ユニットの形態で実現し、また別個の製品として販売または使用される時、コンピュータ読み取り可能な記憶媒体に格納されてもよい。このような理解に基づいて、本発明の技術的解決策は、本質上または先行技術に貢献した部分、または上記技術的解決策の部分は、ソフトウェア製品の形態で実現することができ、上記コンピュータソフトウェア製品は、記憶媒体に格納されており、一台のコンピュータ設備（パーソナルコンピュータ、サーバ、またはネットワーク設備等であってもよい）が、本発明の各実施例に記載の方法の全部または一部のステップを実行するようにするいくつかの命令を含んでいる。なお、上述した記憶媒体は、Ｕディスク、ポータブルハードディスク、読取専用メモリ（Ｒｅａｄ-Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスクまたは光ディスク等各種のプログラムコードを格納することができる媒体を含む。
【０１８７】
以上は、本発明の具体的な実施形態に過ぎず、本発明の保護範囲がこれに限定されるものではなく、当業者であれば、本発明の開示した技術的範囲内において、変更または置換を容易に想到することができ、これらの変更または置換は、本発明の範囲内に含まれるものとする。したがって、本発明の保護の範囲は、特許請求の範囲に準ずる。
【図１】
2019522403.tif 000426
【図２】
2019522403.tif 000427
【図３】
2019522403.tif 000428
【図４】
2019522403.tif 000429
【図５】
2019522403.tif 000430
【図６】
2019522403.tif 000431
【図７】
2019522403.tif 000432
【図８】
2019522403.tif 000433
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
基準信号の伝送方法であって、
ネットワーク設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記ネットワーク設備が、前記ターゲットリソースで前記基準信号を端末設備に送信することを含む、基準信号の伝送方法。
【請求項２】
前記ネットワーク設備が、前記基準信号を伝送するためのターゲットリソースを確定することは、
前記ネットワーク設備が、セル識別子またはビーム識別子を含む基準識別子を確定することと、
前記ネットワーク設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含むことを特徴とする
請求項１に記載の方法。
【請求項３】
前記方法は、
前記ネットワーク設備が、前記ターゲットリソースを指示するためのリソース指示情報を含む指示情報を前記端末設備に送信することをさらに含むことを特徴とする
請求項１に記載の方法。
【請求項４】
前記方法は、
前記ネットワーク設備が、リソース識別子を指示するための識別子指示情報を含む指示情報を前記端末設備に送信し、前記リソース識別子と前記ターゲットリソースとは１対１で対応することをさらに含むことを特徴とする
請求項１に記載の方法。
【請求項５】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項４に記載の方法。
【請求項６】
前記ネットワーク設備が、指示情報を前記端末設備に送信することは、
前記ネットワーク設備が、上位層シグナリング、物理層シグナリングまたは媒体アクセス制御（ＭＡＣ）層の通知にベアリングされる指示メッセージを前記端末設備に送信することを含む、ことを特徴とする
請求項３乃至５のいずれか１項に記載の方法。
【請求項７】
前記ターゲットリソースが前記時間領域リソースを含む場合、前記時間領域リソースは、少なくとも１つの時間帯及び/または少なくとも１つの時点を含み、前記少なくとも１つの時間帯及び/または少なくとも１つの時点は、周期に応じて分布される、ことを特徴とする
請求項１乃至６のいずれか１項に記載の方法。
【請求項８】
基準信号の伝送方法であって、
端末設備が、前記基準信号を伝送するためのターゲットリソースを確定し、前記ターゲットリソースは、前記基準信号を伝送するための伝送リソース内の一部のリソースであり、前記ターゲットリソースは、周波数領域リソース、時間領域リソース及び空間領域リソースのうちの少なくとも１つを含むことと、
前記端末設備が、前記ターゲットリソースでネットワーク設備からの前記基準信号を受信することを含む、基準信号の伝送方法。
【請求項９】
前記端末設備が、前記基準信号を伝送するためのターゲットリソースを確定することは、
前記端末設備が、セル識別子またはビーム識別子を含む基準識別子を確定することと、  前記端末設備が、前記基準識別子、及び前記基準識別子とリソース識別子との間の対応関係に基づいて、前記基準信号を伝送するためのターゲットリソースを確定し、前記リソース識別子と前記ターゲットリソースとは１対１で対応することを含むことを特徴とする  請求項８に記載の方法。
【請求項１０】
前記端末設備が、前記基準信号を伝送するためのターゲットリソースを確定することは、
前記端末設備が、前記ネットワーク設備からの、前記ターゲットリソースを指示するためのリソース指示情報を含む指示情報を受信することを含むことを特徴とする
請求項８に記載の方法。
【請求項１１】
前記端末設備が、前記基準信号を伝送するためのターゲットリソースを確定することは、
前記端末設備が、前記ネットワーク設備からの、リソース識別子を指示するための識別子指示情報を含む指示情報を受信することと、
前記端末設備が、前記識別子指示情報に基づいて、前記リソース識別子と１対１で対応する前記ターゲットリソースを確定することを含むことを特徴とする
請求項８に記載の方法。
【請求項１２】
前記リソース識別子は、
前記周波数領域リソースを指示するための周波数領域リソース識別子、前記時間領域リソース及び時間領域リソース周期を指示するための時間領域リソース識別子、前記空間領域リソースを指示するための空間領域リソース識別子、及び前記周波数領域リソース、前記時間領域リソース及び前記空間領域リソースのうちの少なくとも２つのリソースを指示するための組み合わせリソース識別子のうちの少なくとも１つの識別子を含むことを特徴とする
請求項１１に記載の方法。
【請求項１３】
前記端末設備が、前記ネットワーク設備からの指示情報を受信することは、
前記端末設備が、前記ネットワーク設備からの、上位層シグナリング、物理層シグナリングまたは媒体アクセス制御（ＭＡＣ）層の通知にベアリングされる指示メッセージを受信することを含む、ことを特徴とする
請求項１０乃至１２のいずれか１項に記載の方法。
【請求項１４】
前記ターゲットリソースが前記時間領域リソースを含む場合、前記時間領域リソースは、少なくとも１つの時間帯及び/または少なくとも１つの時点を含み、前記少なくとも１つの時間帯及び/または少なくとも１つの時点は、周期に応じて分布される、ことを特徴とする
請求項８乃至１３のいずれか１項に記載の方法。
【請求項１５】
端末設備であって、
プロセッサと、
前記プロセッサによって実行される時に、前記プロセッサに請求項１乃至７のいずれか１項に記載の方法を実行させる命令が記憶されるメモリと、を含む、端末設備。
【国際調査報告】
2019522403.tif 000434
2019522403.tif 000435
2019522403.tif 000436
2019522403.tif 000437